(57)【要約】ワイヤレス通信のための方法、システム、およびデバイスが記載される。ユーザ機器（ＵＥ）などのワイヤレスデバイスは、ページ監視周期の構成、および起動信号の構成を基地局などのネットワークノードから受信し得る。ＵＥは、起動信号周期に少なくとも部分的に基づいて複数の起動信号の間欠監視を行い、起動信号周期上で起動信号を受信し得る。ＵＥは、次いで、ページ監視周期、起動信号周期、受信された起動信号、またはそれらの組合せに従ってページ監視期間中にページング情報またはシステム情報への更新を受信するためにページングメッセージを監視し得る。【選択図】図３
2021502776.tif 000002
【特許請求の範囲】
【請求項１】
ユーザ機器（ＵＥ）におけるワイヤレス通信のための方法であって、
ページ監視周期の構成を受信することと、
起動信号の構成を受信することと、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
を備える、方法。
【請求項２】
前記起動信号周期に少なくとも部分的に基づいて前記起動信号を受信すること
をさらに備える、請求項１に記載の方法。
【請求項３】
前記ページ監視周期が前記構成に基づいて１つまたは複数のページングオケージョン（ＰＯ）を備えると決定することと、ここにおいて、前記起動信号周期が、前記１つまたは複数のＰＯに対応する、
ＰＯ周期、または前記受信された起動信号、またはそれらの組合せに従って前記ページングメッセージを監視することと
をさらに備える、請求項１に記載の方法。
【請求項４】
前記ページ監視周期が前記構成に少なくとも部分的に基づいて１つまたは複数の起動信号オケージョンを備えると決定することと、ここにおいて、前記起動信号周期が、１つまたは複数のページングオケージョン（ＰＯ）を含むページング時間ウィンドウ（ＰＴＷ）周期に対応する、
前記ＰＴＷ周期、または前記受信された起動信号、またはそれらの組合せに従って前記ページングメッセージを監視することと
をさらに備える、請求項１に記載の方法。
【請求項５】
前記ページ監視周期が前記構成に少なくとも部分的に基づいて１つまたは複数の起動信号オケージョンを備えると決定することと、ここにおいて、前記起動信号周期が、１つまたは複数のページングオケージョン（ＰＯ）に対応する、
前記１つまたは複数のＰＯ、または前記受信された起動信号、またはそれらの組合せに従って前記ページングメッセージを監視することと
をさらに備える、請求項１に記載の方法。
【請求項６】
前記ページ監視周期が前記構成に少なくとも部分的に基づいて１つまたは複数の無線リソース管理（ＲＲＭ）測定期間を備えると決定することと、
ＲＲＭ測定周期に従って前記ページングメッセージを監視することと
をさらに備える、請求項１に記載の方法。
【請求項７】
前記ページ監視周期が前記構成に少なくとも部分的に基づいて１つまたは複数のブロードキャスト制御チャネル（ＢＣＣＨ）変更期間を備えると決定することと、
ＢＣＣＨ変更期間に従って、前記ページングメッセージ、またはシステム情報ブロック、またはマスタ情報ブロック（ＭＩＢ）、またはそれらの組合せを監視することと
をさらに備える、請求項１に記載の方法。
【請求項８】
前記ページ監視周期の前記構成を受信することが、
システム情報メッセージ、または無線リソース制御（ＲＲＣ）メッセージ、または非アクセス層（ＮＡＳ）メッセージ、またはそれらの組合せを介して前記ページ監視周期の前記構成を受信すること
を備える、請求項１に記載の方法。
【請求項９】
前記起動信号が少なくとも１回スキップされた時間期間に少なくとも部分的に基づいて前記ページ監視周期の前記構成を識別すること
をさらに備える、請求項１に記載の方法。
【請求項１０】
前記ページ監視周期と１つまたは複数の他のパラメータとの間の関係に少なくとも部分的に基づいて前記ページ監視周期の前記構成を識別すること
をさらに備える、請求項１に記載の方法。
【請求項１１】
前記監視することに少なくとも部分的に基づいて前記ページ監視期間中に前記ページングメッセージを検出すること、ここにおいて、前記ページングメッセージが、前記受信された起動信号に少なくとも部分的に基づいて検出される、
をさらに備える、請求項１に記載の方法。
【請求項１２】
ターゲットセルへのハンドオーバを行うことと、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視することと
をさらに備える、請求項１に記載の方法。
【請求項１３】
検出されたページングメッセージに少なくとも部分的に基づいてシステム情報変更通知を識別すること
をさらに備える、請求項１に記載の方法。
【請求項１４】
基地局におけるワイヤレス通信のための方法であって、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
前記ＵＥに前記ページ監視周期の構成を送信することと、ここにおいて、前記構成が、前記ページ監視周期と前記起動信号周期との間の関係を示す、
を備える、方法。
【請求項１５】
前記構成内で、前記ページ監視周期が１つまたは複数のページングオケージョン（ＰＯ）を備えるという指示を送信すること、ここにおいて、前記起動信号周期が、前記１つまたは複数のＰＯに対応する、
をさらに備える、請求項１４に記載の方法。
【請求項１６】
前記構成内で、前記ページ監視周期が１つまたは複数の起動信号オケージョンを備えるという指示を送信すること、ここにおいて、前記起動信号周期が、１つまたは複数のページングオケージョン（ＰＯ）を含むページング時間ウィンドウ（ＰＴＷ）周期に対応する、
をさらに備える、請求項１４に記載の方法。
【請求項１７】
前記構成内で、前記ページ監視周期が前記構成に少なくとも部分的に基づいて１つまたは複数の起動信号オケージョンを備えるという指示を送信すること、ここにおいて、前記起動信号周期が、１つまたは複数のページングオケージョン（ＰＯ）に対応する、
をさらに備える、請求項１４に記載の方法。
【請求項１８】
前記構成内で、前記ページ監視周期が１つまたは複数の無線リソース管理（ＲＲＭ）測定期間を備えるという指示を送信すること
をさらに備える、請求項１４に記載の方法。
【請求項１９】
前記構成内で、前記ページ監視周期が１つまたは複数のブロードキャスト制御チャネル（ＢＣＣＨ）変更期間を備えるという指示を送信すること
をさらに備える、請求項１４に記載の方法。
【請求項２０】
前記ページ監視周期の前記構成を送信することが、
システム情報メッセージ、または無線リソース制御（ＲＲＣ）メッセージ、または非アクセス層（ＮＡＳ）メッセージ、またはそれらの組合せを介して前記ページ監視周期の前記構成を送信すること
を備える、請求項１４に記載の方法。
【請求項２１】
前記ページングメッセージ内でシステム情報変更通知を送信すること
をさらに備える、請求項１４に記載の方法。
【請求項２２】
ワイヤレス通信のための装置であって、
ページ監視周期の構成を受信するための手段と、
起動信号の構成を受信するための手段と、
起動信号周期に少なくとも部分的に基づいて複数の起動信号の間欠監視を行うための手段と、
前記ページ監視周期、または前記起動信号周期、または受信された起動信号、またはそれらの組合せに従ってページ監視期間中にページングメッセージを監視するための手段と
を備える、装置。
【請求項２３】
前記起動信号周期に少なくとも部分的に基づいて前記起動信号を受信するための手段
をさらに備える、請求項２２に記載の装置。
【請求項２４】
前記ページ監視周期が前記構成に基づいて１つまたは複数のページングオケージョン（ＰＯ）を備えると決定するための手段と、ここにおいて、前記起動信号周期が、前記１つまたは複数のＰＯに対応する、
ＰＯ周期、または前記受信された起動信号、またはそれらの組合せに従って前記ページングメッセージを監視するための手段と
をさらに備える、請求項２２に記載の装置。
【請求項２５】
前記ページ監視周期が前記構成に少なくとも部分的に基づいて１つまたは複数の起動信号オケージョンを備えると決定するための手段と、ここにおいて、前記起動信号周期が、１つまたは複数のページングオケージョン（ＰＯ）を含むページング時間ウィンドウ（ＰＴＷ）周期に対応する、
前記ＰＴＷ周期、または前記受信された起動信号、またはそれらの組合せに従って前記ページングメッセージを監視するための手段と
をさらに備える、請求項２２に記載の装置。
【請求項２６】
前記ページ監視周期が前記構成に少なくとも部分的に基づいて１つまたは複数の起動信号オケージョンを備えると決定するための手段と、ここにおいて、前記起動信号周期が、１つまたは複数のページングオケージョン（ＰＯ）に対応する、
前記１つまたは複数のＰＯ、または前記受信された起動信号、またはそれらの組合せに従って前記ページングメッセージを監視するための手段と
をさらに備える、請求項２２に記載の装置。
【請求項２７】
前記ページ監視周期が前記構成に少なくとも部分的に基づいて１つまたは複数の無線リソース管理（ＲＲＭ）測定期間を備えると決定するための手段と、
ＲＲＭ測定周期に従って前記ページングメッセージを監視するための手段と
をさらに備える、請求項２２に記載の装置。
【請求項２８】
前記ページ監視周期が前記構成に少なくとも部分的に基づいて１つまたは複数のブロードキャスト制御チャネル（ＢＣＣＨ）変更期間を備えると決定するための手段と、
ＢＣＣＨ変更期間に従って、前記ページングメッセージ、またはシステム情報ブロック、またはマスタ情報ブロック（ＭＩＢ）、またはそれらの組合せを監視するための手段と
をさらに備える、請求項２２に記載の装置。
【請求項２９】
システム情報メッセージ、または無線リソース制御（ＲＲＣ）メッセージ、または非アクセス層（ＮＡＳ）メッセージ、またはそれらの組合せを介して前記ページ監視周期の前記構成を受信するための手段
を備える、請求項２２に記載の装置。
【請求項３０】
前記起動信号が少なくとも１回スキップされた時間期間に少なくとも部分的に基づいて前記ページ監視周期の前記構成を識別するための手段
をさらに備える、請求項２２に記載の装置。
【請求項３１】
前記ページ監視周期と１つまたは複数の他のパラメータとの間の関係に少なくとも部分的に基づいて前記ページ監視周期の前記構成を識別するための手段
をさらに備える、請求項２２に記載の装置。
【請求項３２】
前記監視することに少なくとも部分的に基づいて前記ページ監視期間中に前記ページングメッセージを検出するための手段、ここにおいて、前記ページングメッセージが、前記受信された起動信号に少なくとも部分的に基づいて検出される、
をさらに備える、請求項２２に記載の装置。
【請求項３３】
ターゲットセルへのハンドオーバを行うための手段と、
前記ターゲットセルのためのページ監視周期、または前記ターゲットセルのための起動信号周期、または前記ターゲットセルからの受信された起動信号、またはそれらの組合せに従って前記ターゲットセルからの１つまたは複数のページングメッセージを監視するための手段と
をさらに備える、請求項２２に記載の装置。
【請求項３４】
検出されたページングメッセージに少なくとも部分的に基づいてシステム情報変更通知を識別するための手段
をさらに備える、請求項２２に記載の装置。
【請求項３５】
ワイヤレス通信のための装置であって、
ページングメッセージを監視するようにユーザ機器（ＵＥ）を構成するためのページ監視周期を決定するための手段と、
複数の起動信号のための起動信号周期を決定するための手段と、前記起動信号周期が、前記ページ監視周期以下である、
前記ＵＥに前記ページ監視周期の構成を送信するための手段と、ここにおいて、前記構成が、前記ページ監視周期と前記起動信号周期との間の関係を示す、
を備える、装置。
【請求項３６】
前記構成内で、前記ページ監視周期が１つまたは複数のページングオケージョン（ＰＯ）を備えるという指示を送信するための手段、ここにおいて、前記起動信号周期が、前記１つまたは複数のＰＯに対応する、
をさらに備える、請求項３５に記載の装置。
【請求項３７】
前記構成内で、前記ページ監視周期が１つまたは複数の起動信号オケージョンを備えるという指示を送信するための手段、ここにおいて、前記起動信号周期が、１つまたは複数のページングオケージョン（ＰＯ）を含むページング時間ウィンドウ（ＰＴＷ）周期に対応する、
をさらに備える、請求項３５に記載の装置。
【請求項３８】
前記構成内で、前記ページ監視周期が前記構成に少なくとも部分的に基づいて１つまたは複数の起動信号オケージョンを備えるという指示を送信するための手段、ここにおいて、前記起動信号周期が、１つまたは複数のページングオケージョン（ＰＯ）に対応する、
をさらに備える、請求項３５に記載の装置。
【請求項３９】
前記構成内で、前記ページ監視周期が１つまたは複数のブロードキャスト制御チャネル（ＢＣＣＨ）変更期間を備えるという指示を送信するための手段
をさらに備える、請求項３５に記載の装置。
【請求項４０】
システム情報メッセージ、または無線リソース制御（ＲＲＣ）メッセージ、または非アクセス層（ＮＡＳ）メッセージ、またはそれらの組合せを介して前記ページ監視周期の前記構成を送信するための手段
を備える、請求項３５に記載の装置。
【請求項４１】
前記ページングメッセージ内でシステム情報変更通知を送信するための手段
をさらに備える、請求項３５に記載の装置。
【請求項４２】
ワイヤレス通信のための装置であって、
ページ監視周期の構成を受信することと、起動信号の構成を受信することとを行うように構成された受信機と、
プロセッサと、
前記プロセッサと電子通信しているメモリと、
前記メモリに記憶され、前記装置に、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
をさせるために前記プロセッサによって実行可能な命令と
を備える、装置。
【請求項４３】
ワイヤレス通信のための装置であって、
プロセッサと、
前記プロセッサと電子通信しているメモリと、
前記メモリに記憶され、前記装置に、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
をさせるために前記プロセッサによって実行可能な命令と、
前記ＵＥに前記ページ監視周期の構成を送信するように構成された送信機と、ここにおいて、前記構成が、前記ページ監視周期と前記起動信号周期との間の関係を示す、
を備える、装置。
【請求項４４】
ワイヤレス通信のためのコードを記憶する非一時的コンピュータ可読媒体であって、前記コードは、
ページ監視周期の構成を受信することと、
起動信号の構成を受信することと、
起動信号周期に少なくとも部分的に基づいて複数の起動信号の間欠監視を行うことと、
前記ページ監視周期、または前記起動信号周期、または受信された起動信号、またはそれらの組合せに従ってページ監視期間中にページングメッセージを監視することと
を行うようにプロセッサによって実行可能な命令を備える、
非一時的コンピュータ可読媒体。
【請求項４５】
ワイヤレス通信のためのコードを記憶する非一時的コンピュータ可読媒体であって、前記コードは、
ページングメッセージを監視するようにユーザ機器（ＵＥ）を構成するためのページ監視周期を決定することと、
複数の起動信号のための起動信号周期を決定することと、前記起動信号周期が、前記ページ監視周期以下である、
前記ＵＥに前記ページ監視周期の構成を送信することと、ここにおいて、前記構成が、前記ページ監視周期と前記起動信号周期との間の関係を示す、
を行うようにプロセッサによって実行可能な命令を備える、
非一時的コンピュータ可読媒体。
【発明の詳細な説明】
【相互参照】
【０００１】
[0001]  本特許出願は、２０１８年１１月６日に出願された、「ＦＡＬＬＢＡＣＫ  ＭＯＤＥ  ＦＯＲ  ＷＡＫＥ−ＵＰ  ＳＩＧＮＡＬ  ＲＥＣＥＩＶＥＲＳ」と題する、Ｌｉｕらによる米国特許出願番号第１６／１８２，３７６号、および２０１７年１１月１３日に出願された、「ＦＡＬＬＢＡＣＫ  ＭＯＤＥ  ＦＯＲ  ＷＡＫＥ−ＵＰ  ＳＩＧＮＡＬ  ＲＥＣＥＩＶＥＲＳ」と題する、Ｌｉｕらによる米国仮特許出願第６２／５８５，４７８号の利益を主張するもので、それぞれが本出願の譲受人に譲渡され、その全体が参照により明確に組み込まれる。
【技術分野】
【０００２】
[0002]  以下は、一般に、ワイヤレス通信に関し、より詳細には、起動信号（ＷＵＳ：wake-up signal）受信機のためのフォールバックモードに関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、ロングタームエボリューション（ＬＴＥ（登録商標））システムまたはＬＴＥアドバンスト（ＬＴＥ−Ａ）システムなどの第４世代（４Ｇ）システムおよび新無線（ＮＲ）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−ｓ−ＯＦＤＭ）などの技術を採用し得る。ワイヤレス多元接続通信システムは、場合によってはユーザ機器（ＵＥ：user equipment）として知られていることがある、複数の通信デバイスのための通信を各々が同時にサポートする、いくつかの基地局またはネットワークアクセスノードを含み得る。
【０００４】
[0004]  いくつかのワイヤレス通信システムでは、基地局は、ページングオケージョン（ＰＯ：paging occasion）中にページングメッセージを送ることによってデータおよび／またはシステム情報が利用可能であることをＵＥにシグナリングし得る。ＵＥは、ページングメッセージを受信するために、例えば、特定のサブフレーム中のページングオケージョンを監視し、ページング情報および／またはシステム情報がＵＥのために利用可能であると決定し得る。場合によっては、基地局とＵＥとは、アイドルモードページングのためにＷＵＳなどの電力節約信号を利用し得る。例えば、ＵＥは、ＷＵＳを受信するとスリープ状態から復帰し、基地局からの（ページングメッセージなどの）ダウンリンク送信を監視する。しかしながら、システム内のネットワークエラーまたは干渉は、ＵＥによる失敗したＷＵＳ受信につながり得、これは、重要なシステム情報の変更を示すページングメッセージの失敗した検出を生じ得、それによって、ＵＥのパフォーマンスを妨げる。
【発明の概要】
【０００５】
[0005]  説明される技法は、起動信号（ＷＵＳ）受信機のためのフォールバックモードをサポートする改善された方法、システム、デバイス、または装置に関する。場合によっては、基地局は、ページまたはページングメッセージを介してユーザ機器（ＵＥ）にシステム情報の変更をシグナリングし得る。ページングメッセージは、システム情報中の変更の指示を搬送し、さらに、ページング情報が基地局に関連する１つまたは複数のＵＥのために利用可能であることを示し得る。ＵＥは、ページングオケージョン（ＰＯ）中に基地局から送信されるページングメッセージを周期的に監視し得る。ＰＯは、物理ダウンリンク制御チャネル（ＰＤＣＣＨ：physical downlink control channel）または物理ダウンリンク共有チャネル（ＰＤＳＣＨ：physical downlink shared channel）などのダウンリンクチャネルがページングメッセージを搬送する（サブフレームなどの）送信時間間隔（ＴＴＩ：transmission time interval）であり得る。さらに、基地局は、ＵＥが特定のダウンリンクチャネルを復号すべきであるかどうかを示すためにアイドルモードページング中にＷＵＳを使用し得る。場合によっては、ＵＥは、ＷＵＳがＰＯより前に検出されるまでＰＯを監視するのを控え得る。ＷＵＳの利用がＵＥにおける電力消費量を最適化するように働き得る一方、場合によっては、ＵＥは、ＷＵＳを逃し、従って、システム情報の変更に関係する重要な情報を含む後続のページングメッセージをも逃し得る。
【０００６】
[0006]  従って、基地局は、ＵＥがページングメッセージの逃した検出を回避するためにＷＵＳを検出するようにフォールバックモードを構成し得る。例えば、ネットワークは、システム情報の変更に関係する通知を逃さないことを保証するためにＷＵＳの不在にかかわらずＰＯを監視するようにＵＥを構成し得る。そのような技法は、ＷＵＳを用いないページング監視周期（またはＷＵＳを用いないページ監視周期(page monitoring periodicity)）と呼ばれることがあり、ＵＥがネットワークによって構成された周期に従ってページング情報を監視することを可能にし得る。例えば、基地局またはネットワークは、ＰＯ周期、ＷＵＳ周期、無線リソース管理（ＲＲＭ：radio resource management）測定周期に関係する周期、またはシステム情報の変更に関係する変更期間に従ってページング情報を監視するようにＵＥを構成し得る。
【０００７】
[0007]  ワイヤレス通信の方法について説明される。本方法は、ページ監視周期の構成を受信することと、起動信号の構成を受信することと、起動信号周期に少なくとも部分的に基づいて複数の起動信号の間欠監視を行うことと、ページ監視周期、または起動信号周期、または受信された起動信号、またはそれらの組合せに従ってページ監視期間中にページングメッセージを監視することとを含み得る。
【０００８】
[0008]  ワイヤレス通信のための装置について説明される。本装置は、ページ監視周期の構成を受信するための手段と、起動信号の構成を受信するための手段と、起動信号周期に少なくとも部分的に基づいて複数の起動信号の間欠監視を行うための手段と、起動信号周期に少なくとも部分的に基づいて起動信号を受信するための手段と、ページ監視周期と、起動信号周期と、受信された起動信号とに従ってページ監視期間中にページングメッセージを監視するための手段とを含み得る。
【０００９】
[0009]  ワイヤレス通信のための別の装置について説明される。本装置は、プロセッサと、プロセッサと電子通信しているメモリと、メモリに記憶された命令とを含み得る。命令は、ページ監視周期の構成を受信することと、起動信号の構成を受信するための手段と、起動信号周期に少なくとも部分的に基づいて複数の起動信号の間欠監視を行うことと、起動信号周期に少なくとも部分的に基づいて起動信号を受信することと、ページ監視周期と、起動信号周期と、受信された起動信号とに従ってページ監視期間中にページングメッセージを監視することとをプロセッサにさせるように動作可能であり得る。
【００１０】
[0010]  ワイヤレス通信のための非一時的コンピュータ可読媒体について説明される。本非一時的コンピュータ可読媒体は、ページ監視周期の構成を受信することと、起動信号の構成を受信することと、起動信号周期に少なくとも部分的に基づいて複数の起動信号の間欠監視を行うことと、起動信号周期に少なくとも部分的に基づいて起動信号を受信することと、ページ監視周期と、起動信号周期と、受信された起動信号とに従ってページ監視期間中にページングメッセージを監視することとをプロセッサにさせるように動作可能な命令を含み得る。
【００１１】
[0011]  本明細書で説明される方法、装置、および非一時的コンピュータ可読媒体のいくつかの例は、起動信号周期に少なくとも部分的に基づいて起動信号を受信するためのプロセス、特徴、手段、または命令をさらに含み得る。本明細書で説明される方法、装置、および非一時的コンピュータ可読媒体のいくつかの例は、ページ監視周期が構成に基づいて１つまたは複数のＰＯを備えると決定する、ここにおいて、起動信号周期が１つまたは複数のＰＯに対応する、ためのプロセス、特徴、手段、または命令をさらに含み得る。本明細書で説明される方法、装置、および非一時的コンピュータ可読媒体のいくつかの例は、ＰＯ周期、または受信された起動信号、またはそれらの組合せに従ってページングメッセージを監視するためのプロセス、特徴、手段、または命令をさらに含み得る。
【００１２】
[0012]  本明細書で説明される方法、装置、および非一時的コンピュータ可読媒体のいくつかの例は、ページ監視周期が構成に少なくとも部分的に基づいて１つまたは複数の起動信号オケージョンを備えると決定する、ここにおいて、起動信号周期が、１つまたは複数のＰＯを含むページング時間ウィンドウ（ＰＴＷ：paging time window）周期に対応する、ためのプロセス、特徴、手段、または命令をさらに含み得る。本明細書で説明される方法、装置、および非一時的コンピュータ可読媒体のいくつかの例は、ＰＴＷ周期、または受信された起動信号、またはそれらの組合せに従ってページングメッセージを監視するためのプロセス、特徴、手段、または命令をさらに含み得る。
【００１３】
[0013]  本明細書で説明される方法、装置、および非一時的コンピュータ可読媒体のいくつかの例は、ページ監視周期が構成に少なくとも部分的に基づいて１つまたは複数の起動信号オケージョンを備えると決定する、ここにおいて、起動信号周期が１つまたは複数のＰＯに対応する、ためのプロセス、特徴、手段、または命令をさらに含み得る。本明細書で説明される方法、装置、および非一時的コンピュータ可読媒体のいくつかの例は、１つまたは複数のＰｏ、または受信された起動信号、またはそれらの組合せに従ってページングメッセージを監視するためのプロセス、特徴、手段、または命令をさらに含み得る。
【００１４】
[0014]  本明細書で説明される方法、装置、および非一時的コンピュータ可読媒体のいくつかの例は、ページ監視周期が構成に少なくとも部分的に基づいて１つまたは複数の無線リソース管理（ＲＲＭ）測定期間を備えると決定するためのプロセス、特徴、手段、または命令をさらに含み得る。本明細書で説明される方法、装置、および非一時的コンピュータ可読媒体のいくつかの例は、ＲＲＭ測定周期に従ってページングメッセージを監視するためのプロセス、特徴、手段、または命令をさらに含み得る。
【００１５】
[0015]  本明細書で説明される方法、装置、および非一時的コンピュータ可読媒体のいくつかの例は、ページ監視周期が構成に少なくとも部分的に基づいて１つまたは複数のブロードキャスト制御チャネル（ＢＣＣＨ：broadcast control channel）変更期間を備えると決定するためのプロセス、特徴、手段、または命令をさらに含み得る。本明細書で説明される方法、装置、および非一時的コンピュータ可読媒体のいくつかの例は、ＢＣＣＨ変更期間に従って、ページングメッセージ、またはシステム情報ブロック、またはマスタ情報ブロック（ＭＩＢ）、またはそれらの組合せを監視するためのプロセス、特徴、手段、または命令をさらに含み得る。
【００１６】
[0016]  本明細書で説明される方法、装置、および非一時的コンピュータ可読媒体のいくつかの例では、ページ監視周期の構成を受信することは、システム情報メッセージ、または無線リソース制御（ＲＲＣ：radio resource control）メッセージ、または非アクセス層（ＮＡＳ：non-access stratum）メッセージ、またはそれらの組合せを介してページ監視周期の構成を受信することを備える。
【００１７】
[0017]  本明細書で説明される方法、装置、および非一時的コンピュータ可読媒体のいくつかの例は、起動信号が少なくとも１回スキップされていることがある時間期間に少なくとも部分的に基づいてページ監視周期の構成を識別するためのプロセス、特徴、手段、または命令をさらに含み得る。
【００１８】
[0018]  本明細書で説明される方法、装置、および非一時的コンピュータ可読媒体のいくつかの例は、ページ監視周期と１つまたは複数の他のパラメータとの間の関係に少なくとも部分的に基づいてページ監視周期の構成を識別するためのプロセス、特徴、手段、または命令をさらに含み得る。
【００１９】
[0019]  本明細書で説明される方法、装置、および非一時的コンピュータ可読媒体のいくつかの例は、監視することに少なくとも部分的に基づいてページ監視期間中にページングメッセージを検出する、ここにおいて、ページングメッセージが、受信された起動信号に少なくとも部分的に基づいて検出され得る、ためのプロセス、特徴、手段、または命令をさらに含み得る。
【００２０】
[0020]  本明細書で説明される方法、装置、および非一時的コンピュータ可読媒体のいくつかの例は、起動信号周期に従ってＲＲＭ測定を行う、ここにおいて、ＲＲＭ測定周期は、１つまたは複数の起動信号オケージョンを備える、ためのプロセス、特徴、手段、または命令をさらに含み得る。本明細書で説明される方法、装置、および非一時的コンピュータ可読媒体のいくつかの例は、ＲＲＭ測定に基づいて、基準信号受信電力（ＲＳＲＰ：reference signal received power）、または基準信号受信品質（ＲＳＲＱ：reference signal received quality）、またはサービングセルの確認、またはそれらの組合せを決定するためのプロセス、特徴、手段、または命令をさらに含み得る。
【００２１】
[0021]  本明細書で説明される方法、装置、および非一時的コンピュータ可読媒体のいくつかの例は、起動信号が１つまたは複数の起動信号オケージョンにおいて検出され得るのかどうかを決定するためのプロセス、特徴、手段、または命令をさらに含み得る。本明細書で説明される方法、装置、および非一時的コンピュータ可読媒体のいくつかの例は、少なくとも１つの起動信号が１つまたは複数の起動信号オケージョンにおいて検出され得るとの決定に基づいてＲＲＭ測定を行うためのプロセス、特徴、手段、または命令をさらに含み得る。
【００２２】
[0022]  本明細書で説明される方法、装置、および非一時的コンピュータ可読媒体のいくつかの例は、起動信号が１つまたは複数の起動信号オケージョンにおいて検出され得るのかどうかを決定するためのプロセス、特徴、手段、または命令をさらに含み得る。本明細書で説明される方法、装置、および非一時的コンピュータ可読媒体のいくつかの例は、起動信号が１つまたは複数の起動信号オケージョンにおいて検出されなかったという決定に基づいて時間的に最後の起動信号オケージョンにおいてＲＲＭ測定を行うためのプロセス、特徴、手段、または命令をさらに含み得る。
【００２３】
[0023]  本明細書で説明される方法、装置、および非一時的コンピュータ可読媒体のいくつかの例は、ページ監視周期に従ってＲＲＭ測定を行うためのプロセス、特徴、手段、または命令をさらに含み得る。本明細書で説明される方法、装置、および非一時的コンピュータ可読媒体のいくつかの例は、ＲＲＭ測定に基づいて、ＲＳＲＰ、またはＲＳＲＱ、またはサービングセルの確認、またはそれらの組合せを決定するためのプロセス、特徴、手段、または命令をさらに含み得る。
【００２４】
[0024]  本明細書で説明される方法、装置、および非一時的コンピュータ可読媒体のいくつかの例は、検出されたページングメッセージに少なくとも部分的に基づいてシステム情報変更通知を識別するためのプロセス、特徴、手段、または命令をさらに含み得る。
【００２５】
[0025]  ワイヤレス通信の方法について説明される。本方法は、ページングメッセージを監視するようにＵＥを構成するためのページ監視周期を決定することと、複数の起動信号のための起動信号周期を決定することと、起動信号周期が、ページ監視周期以下である、ＵＥにページ監視周期の構成を送信することと、ここにおいて、構成が、ページ監視周期と起動信号周期との間の関係を示す、を含み得る。
【００２６】
[0026]  ワイヤレス通信のための装置について説明される。本装置は、ページングメッセージを監視するようにＵＥを構成するためのページ監視周期を決定するための手段と、複数の起動信号のための起動信号周期を決定するための手段と、起動信号周期が、ページ監視周期以下である、ＵＥにページ監視周期の構成を送信するための手段と、ここにおいて、構成が、ページ監視周期と起動信号周期との間の関係を示す、を含み得る。
【００２７】
[0027]  ワイヤレス通信のための別の装置について説明される。本装置は、プロセッサと、プロセッサと電子通信しているメモリと、メモリに記憶された命令とを含み得る。命令は、ページングメッセージを監視するようにＵＥを構成するためのページ監視周期を決定することと、複数の起動信号のための起動信号周期を決定することと、起動信号周期が、ページ監視周期以下である、ＵＥにページ監視周期の構成を送信することと、ここにおいて、構成が、ページ監視周期と起動信号周期との間の関係を示す、をプロセッサにさせるように動作可能であり得る。
【００２８】
[0028]  ワイヤレス通信のための非一時的コンピュータ可読媒体が説明される。本非一時的コンピュータ可読媒体は、ページングメッセージを監視するようにＵＥを構成するためのページ監視周期を決定することと、複数の起動信号のための起動信号周期を決定することと、起動信号周期が、ページ監視周期以下である、ＵＥにページ監視周期の構成を送信することと、ここにおいて、構成が、ページ監視周期と起動信号周期との間の関係を示す、をプロセッサにさせるように動作可能な命令を含み得る。
【００２９】
[0029]  本明細書で説明される方法、装置、および非一時的コンピュータ可読媒体のいくつかの例は、構成内で、ページ監視周期が１つまたは複数のＰＯを備えるという指示(indication)を送信する、ここにおいて、起動信号周期が、１つまたは複数のＰＯに対応する、ためのプロセス、特徴、手段、または命令をさらに含み得る。
【００３０】
[0030]  本明細書で説明される方法、装置、および非一時的コンピュータ可読媒体のいくつかの例は、構成内で、ページ監視周期が１つまたは複数の起動信号オケージョンを備えるという指示を送信する、ここにおいて、起動信号周期が、１つまたは複数のＰＯを含むＰＴＷ周期に対応する、ためのプロセス、特徴、手段、または命令をさらに含み得る。
【００３１】
[0031]  本明細書で説明される方法、装置、および非一時的コンピュータ可読媒体のいくつかの例は、構成内で、ページ監視周期が構成に少なくとも部分的に基づいて１つまたは複数の起動信号オケージョンを備えるという指示を送信する、ここにおいて、起動信号周期が、１つまたは複数のＰＯに対応する、ためのプロセス、特徴、手段、または命令をさらに含み得る。
【００３２】
[0032]  本明細書で説明される方法、装置、および非一時的コンピュータ可読媒体のいくつかの例は、構成内で、ページ監視周期が１つまたは複数のＲＲＭ測定期間を備えるという指示を送信するためのプロセス、特徴、手段、または命令をさらに含み得る。
【００３３】
[0033]  本明細書で説明される方法、装置、および非一時的コンピュータ可読媒体のいくつかの例は、構成内で、ページ監視周期が１つまたは複数のＢＣＣＨ変更期間を備えるという指示を送信するためのプロセス、特徴、手段、または命令をさらに含み得る。
【００３４】
[0034]  本明細書で説明される方法、装置、および非一時的コンピュータ可読媒体のいくつかの例では、ページ監視周期の構成を送信することは、システム情報メッセージ、またはＲＲＣメッセージ、またはＮＡＳメッセージ、またはそれらの組合せを介してページ監視周期の構成を送信することを備える。
【００３５】
[0035]  本明細書で説明される方法、装置、および非一時的コンピュータ可読媒体のいくつかの例は、ページングメッセージ内でシステム情報変更通知を送信するためのプロセス、特徴、手段、または命令をさらに含み得る。
【図面の簡単な説明】
【００３６】
【図１】本開示の態様による、起動信号（ＷＵＳ）受信機のためのフォールバックモードをサポートするワイヤレス通信のためのシステムの一例を示す図。
【図２】本開示の態様による、ＷＵＳ受信機のためのフォールバックモードをサポートするワイヤレス通信システムの一例を示す図。
【図３】本開示の態様による、ＷＵＳ受信機のためのフォールバックモードをサポートするシステムにおけるタイミング図の例を示す図。
【図４】本開示の態様による、ＷＵＳ受信機のためのフォールバックモードをサポートするシステムにおけるタイミング図の例を示す図。
【図５】本開示の態様による、ＷＵＳ受信機のためのフォールバックモードをサポートするシステムにおけるタイミング図の例を示す図。
【図６】本開示の態様による、ＷＵＳ受信機のためのフォールバックモードをサポートするシステムにおけるタイミング図の例を示す図。
【図７】本開示の態様による、ＷＵＳ受信機のためのフォールバックモードをサポートするシステムにおけるプロセスフローの一例を示す図。
【図８】本開示の態様による、ＷＵＳ受信機のためのフォールバックモードをサポートするデバイスのブロック図。
【図９】本開示の態様による、ＷＵＳ受信機のためのフォールバックモードをサポートするデバイスのブロック図。
【図１０】本開示の態様による、ＷＵＳ受信機のためのフォールバックモードをサポートするデバイスのブロック図。
【図１１】本開示の態様による、ＷＵＳ受信機のためのフォールバックモードをサポートするＵＥを含むシステムのブロック図。
【図１２】本開示の態様による、ＷＵＳ受信機のためのフォールバックモードをサポートするデバイスのブロック図。
【図１３】本開示の態様による、ＷＵＳ受信機のためのフォールバックモードをサポートするデバイスのブロック図。
【図１４】本開示の態様による、ＷＵＳ受信機のためのフォールバックモードをサポートするデバイスのブロック図。
【図１５】本開示の態様による、ＷＵＳ受信機のためのフォールバックモードをサポートする基地局を含むシステムのブロック図。
【図１６】本開示の態様による、ＷＵＳ受信機のためのフォールバックモードのための方法を示す図。
【図１７】本開示の態様による、ＷＵＳ受信機のためのフォールバックモードのための方法を示す図。
【図１８】本開示の態様による、ＷＵＳ受信機のためのフォールバックモードのための方法を示す図。
【図１９】本開示の態様による、ＷＵＳ受信機のためのフォールバックモードのための方法を示す図。
【図２０】本開示の態様による、ＷＵＳ受信機のためのフォールバックモードのための方法を示す図。
【図２１】本開示の態様による、ＷＵＳ受信機のためのフォールバックモードのための方法を示す図。
【図２２】本開示の態様による、ＷＵＳ受信機のためのフォールバックモードのための方法を示す図。
【発明を実施するための形態】
【００３７】
[0045]  ワイヤレス通信システムでは、基地局は、ページングおよび／またはシステム情報が１つまたは複数のユーザ機器（ＵＥ：user equipment）のためにチャネル中で利用可能であることをシグナリングし得る。例えば、基地局は、ページまたはページングメッセージを、ＵＥが情報がＵＥのために利用可能であることを示すに送り得る。場合によっては、ページングメッセージは、システム情報の変更（例えば、システム情報ブロック（ＳＩＢ：system information block）の変更）の指示を搬送し得る。いくつかの例では、ページングメッセージは、ダウンリンク制御チャネルのページングオケージョン（ＰＯ：paging occasion）中に送られ得る。ダウンリンク制御チャネルは、物理ダウンリンク制御チャネル（ＰＤＣＣＨ：physical downlink control channel）または狭帯域（ＮＢ：narrowband）−ＰＤＣＣＨであり得る。ＰＯは、ＵＥがＰＯの合間にスリープまたは不連続受信（ＤＲＸ）状態に入ることを可能にするためにページングメッセージのために構成された周期的間隔であり得、このプロセスは、アイドルモードページングと呼ばれることがある。いくつかの例では、ページング情報は、物理ダウンリンク共有チャネル（ＰＤＳＣＨ：physical downlink shared channel）中で送られ得、これは、ＰＤＣＣＨと同じ送信時間間隔（ＴＴＩ：transmission time interval）（例えば、サブフレーム）中に、または異なるＴＴＩ中に送られ得る。
【００３８】
[0046]  基地局は、ＵＥがアイドルモードページング中に後続のダウンリンク物理チャネル（例えば、ＰＤＣＣＨまたはＰＤＳＣＨ）を復号しなければならないことを示すために物理的信号（例えば、起動信号（ＷＵＳ））を使用し得る。ＷＵＳは、ＵＥにおける電力消費量を最適化するようにさらに働き得る。場合によっては、基地局は、十分な同期パフォーマンスを保証するためにＷＵＳと組み合わせて周期同期信号（ＳＳ：synchronization signal）（例えば、１次ＳＳ（ＰＳＳ）、２次ＳＳ（ＳＳＳ）など）を導入し得る。他の場合には、基地局は、ＷＵＳとともにまたは不連続送信（ＤＴＸ：discontinuous transmission）モードで周期ＳＳを送信するのを控え得る。
【００３９】
[0047]  場合によっては、ネットワークは、システム情報に関係する１つまたは複数の情報フィールドを変更し得る。さらに、ネットワークは、システム情報が変更されていることを示すページングメッセージを送信し得る。例えば、ネットワークは、システム情報の変更に関係するページングメッセージ内のフィールドまたは情報要素を更新し得る。システム情報の変更を示すページングメッセージを受信すると、ＵＥは、システム情報の変更に関係するさらなる詳細を監視しようと試み得る。ＷＵＳを検出することが可能な、そうするように構成されたＵＥは、上位レイヤによって構成されたＷＵＳ周期に基づいてＷＵＳを検出し得る。
【００４０】
[0048]  ただし、場合によっては、ＵＥが電力節約のためにＷＵＳを利用するように構成される場合、ＷＵＳが検出されない場合、ＵＥは、ダウンリンクチャネル（例えば、ＰＤＣＣＨ／ＰＤＳＣＨ）を読み取らないことがある。いくつかの状況では、ＷＵＳがページングメッセージのために送信されたとしても、ＵＥはＷＵＳを逃し得る。例えば、カバレージエリア、周波数オフセット、時間ドリフト、または近隣基地局とのセル間干渉のサイズによる大きい最大結合損失（ＭＣＬ：maximum coupling loss）は、逃したＷＵＳにつながり得る。追加または代替として、基地局リセットなどのネットワークエラーは、ＷＵＳ構成の変更につながり得る。例えば、基地局は、電気的な問題によりセーフモードで再起動し、ＷＵＳ動作の損失を生じ得る。ＵＥがＷＵＳを正しく検出できない場合、ＵＥは、ページング情報中のシステム情報の重要な変更を逃し、ＵＥのパフォーマンスを妨げ得る。
【００４１】
[0049]  本明細書で説明されるように、システム情報の逃した変更で経験されるネットワークおよび／またはＵＥのパフォーマンス劣化を緩和するために、構成されたＷＵＳが検出されない場合でも、ネットワークは、ページング情報を周期的に監視するようにＵＥを構成し得る。例えば、ネットワークは、ＵＥがページング情報を監視するのを可能にするかまたはトリガするためにページ監視周期を用いてＵＥを構成し得る。構成は、（例えば、ＳＩＢ、無線リソース制御（ＲＲＣ：Radio Resource Control）構成、上位レイヤパラメータなどを介して）明示的にシグナリングされるか、暗黙的にシグナリングされるか、または事前構成されたパラメータに基づいて決定され得る。ページングメッセージを監視するために使用される構成は、ＷＵＳを用いないページ監視周期と呼ばれることがあり、ＵＥがネットワークによって構成されたサイクルに従ってページング情報を周期的に監視することを可能にし得る。例えば、基地局またはネットワークは、ＰＯ周期、ＷＵＳ周期、無線リソース管理（ＲＲＭ）測定周期に関係するサイクル、またはシステム情報の変更に関係する変更期間に従ってページング情報を監視するようにＵＥを構成し得る。
【００４２】
[0050]  最初に、本開示の態様がワイヤレス通信システムのコンテキストにおいて説明される。本開示の態様は、次いで、タイミング図を参照しながら説明される。本開示の態様は、さらに、起動信号受信機のためのフォールバックモードに関する装置図、システム図、およびフローチャートによって示され、それらを参照しながら説明される。
【００４３】
[0051]  図１に、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ：Long Term Evolution）ネットワーク、ＬＴＥアドバンスト（ＬＴＥ−Ａ：LTE（登録商標）-Advanced）ネットワーク、または新無線（ＮＲ：New Radio）ネットワークであり得る。場合によっては、ワイヤレス通信システム１００は、拡張ブロードバンド通信、超高信頼（例えば、ミッションクリティカル）通信、低レイテンシ通信、または低コストおよび低複雑度デバイスを用いた通信をサポートし得る。
【００４４】
[0052]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（例えば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００４５】
[0053]  各基地局１０５は、様々なＵＥ１１５との通信がサポートされ得る特定の地理的カバレージエリア１１０に関連付けられ得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方アップリンク送信は逆方向リンク送信と呼ばれることもある。
【００４６】
[0054]  基地局１０５のための地理的カバレージエリア１１０は、地理的カバレージエリア１１０の一部分のみを構成するセクタに分割され得、各セクタは、セルに関連付けられ得る。例えば、各基地局１０５は、マクロセル、スモールセル、ホットスポット、もしくは他のタイプのセル、またはそれらの様々な組合せに通信カバレージを与え得る。いくつかの例では、基地局１０５は、移動可能であり、従って、移動する地理的カバレージエリア１１０に通信カバレージを与え得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、異なるタイプの基地局１０５が様々な地理的カバレージエリア１１０にカバレージを与える、例えば、異種ＬＴＥ／ＬＴＥ−ＡまたはＮＲネットワークを含み得る。
【００４７】
[0055]  「セル」という用語は、（例えば、キャリアを介した）基地局１０５との通信のために使用される論理通信エンティティを指し、同じまたは異なるキャリアを介して動作する隣接セルを区別するための識別子（例えば、物理セル識別子（ＰＣＩＤ：physical cell identifier）、仮想セル識別子（ＶＣＩＤ：virtual cell identifier））に関連付けられ得る。いくつかの例では、キャリアは、複数のセルをサポートし得、異なるセルは、異なるタイプのデバイスにアクセスを与え得る異なるプロトコルタイプ（例えば、マシン型通信（ＭＴＣ：machine-type communication）、狭帯域モノのインターネット（ＮＢ−ＩｏＴ：narrowband Internet-of-Things）、拡張モバイルブロードバンド（ｅＭＢＢ）など）に従って構成され得る。場合によっては、「セル」という用語は、論理エンティティが動作する地理的カバレージエリア１１０の一部分（例えば、セクタ）を指すことがある。
【００４８】
[0056]  ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラー電話、携帯情報端末（ＰＤＡ：personal digital assistant）、タブレットコンピュータ、ラップトップコンピュータ、またはパーソナルコンピュータなどのパーソナル電子デバイスであり得る。いくつかの例では、ＵＥ１１５はまた、器具、ビークル、メーターなどの様々な物品に実装され得るワイヤレスローカルループ（ＷＬＬ：wireless local loop）局、モノのインターネット（ＩｏＴ）デバイス、全てのインターネット（ＩｏＥ）デバイス、またはＭＴＣデバイスなどを指すことがある。
【００４９】
[0057]  ＭＴＣデバイスまたはＩｏＴデバイスなど、いくつかのＵＥ１１５は、低コストまたは低複雑度デバイスであり得、（例えば、マシンツーマシン（Ｍ２Ｍ：Machine-to-Machine）通信を介した）マシン間の自動通信を与え得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用できる、またはプログラムもしくはアプリケーションと対話する人間に情報を提示する、中央サーバもしくはアプリケーションプログラムにその情報を中継する、デバイスからの通信を含み得る。いくつかのＵＥ１１５は、情報を集めるか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、並びにトランザクションベースのビジネスの課金を含む。
【００５０】
[0058]  いくつかのＵＥ１１５は、半二重通信（例えば、送信と受信とを同時にではなく送信または受信を介した一方向通信をサポートするモード）などの電力消費量を低減する動作モードを採用するように構成され得る。いくつかの例では、半二重通信は、低減されたピークレートで行われ得る。ＵＥ１１５のための他の電力節約技法は、アクティブ通信に従事していないときに電力節約する「ディープスリープ」モードに入ること、または（例えば、狭帯域通信に従って）限定された帯域幅を介して動作することを含む。場合によっては、ＵＥ１１５は、重要な機能（例えば、ミッションクリティカルな機能）をサポートするように設計され得、ワイヤレス通信システム１００は、これらの機能に超高信頼通信を与えるように構成され得る。
【００５１】
[0059]  場合によっては、ＵＥ１１５は、（例えば、ピアツーピア（Ｐ２Ｐ：peer-to-peer）またはデバイス間（Ｄ２Ｄ：device-to-device）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信できないことがある。場合によっては、Ｄ２Ｄ通信を介して通信するＵＥ１１５のグループは、各ＵＥ１１５がグループ中のあらゆる他のＵＥ１１５に送信する１対多（１：Ｍ(one-to-many)）システムを利用し得る。場合によっては、基地局１０５が、Ｄ２Ｄ通信のためのリソースのスケジューリングを促進する。他の場合には、Ｄ２Ｄ通信は、基地局１０５の関与なしにＵＥ１１５との間で行われる。
【００５２】
[0060]  基地局１０５は、コアネットワーク１３０とおよび互いに通信し得る。例えば、基地局１０５は、バックホールリンク１３２を通して（例えば、Ｓ１または他のインターフェースを介して）コアネットワーク１３０とインターフェースし得る。基地局１０５は、直接（例えば、基地局１０５間で直接）または間接的に（例えば、コアネットワーク１３０を介して）バックホールリンク１３４を介して（例えば、Ｘ２または他のインターフェースを介して）互いに通信し得る。
【００５３】
[0061]  コアネットワーク１３０は、ユーザ認証と、アクセス許可と、トラッキングと、インターネットプロトコル（ＩＰ：Internet Protocol）接続性と、他のアクセス、ルーティング、またはモビリティ機能とを与え得る。コアネットワーク１３０は、少なくとも１つのモビリティ管理エンティティ（ＭＭＥ：mobility management entity）と、少なくとも１つのサービングゲートウェイ（Ｓ−ＧＷ：serving gateway）と、少なくとも１つのパケットデータネットワーク（ＰＤＮ：Packet Data Network）ゲートウェイ（Ｐ−ＧＷ：ＰＤＮ gateway）とを含む場合がある発展型パケットコア（ＥＰＣ：evolved packet core）であり得る。ＭＭＥは、ＥＰＣに関連付けられた基地局１０５によってサービスされるＵＥ１１５のためのモビリティ、認証、およびベアラ管理などの非アクセス層（例えば、制御プレーン）機能を管理し得る。ユーザＩＰパケットはＳ−ＧＷを介して転送され得、Ｓ−ＧＷ自体はＰ−ＧＷに接続され得る。Ｐ−ＧＷはＩＰアドレス割振り並びに他の機能を与え得る。Ｐ−ＧＷは、ネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスへのアクセスを含み得る。
【００５４】
[0062]  基地局１０５など、ネットワークデバイスのうちの少なくともいくつかは、アクセスノードコントローラ（ＡＮＣ）の一例であり得る、アクセスネットワークエンティティなど、副構成要素を含み得る。各アクセスネットワークエンティティは、無線ヘッド、スマート無線ヘッド、または送信／受信ポイント（ＴＲＰ：transmission/reception point）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００５５】
[0063]  ワイヤレス通信システム１００は、通常、３００メガヘルツ（ＭＨｚ）〜３００ギガヘルツ（ＧＨｚ）の範囲の１つまたは複数の周波数帯域を使用して動作し得る。概して、３００ＭＨｚから３ＧＨｚまでの領域は、波長が約１デシメートルから１メートルまでの長さの範囲なので、極超短波（ＵＨＦ：ultra-high frequency）領域またはデシメートル帯域として知られている。ＵＨＦ波は、建物および環境特徴によってブロックまたはリダイレクトされる場合がある。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ：very high frequency）部分のより小さい周波数およびより長い波を使用する送信と比較してより小さいアンテナおよびより短い距離（例えば、１００ｋｍ未満）に関連付けられ得る。
【００５６】
[0064]  ワイヤレス通信システム１００はまた、センチメートル帯域としても知られる３ＧＨｚから３０ＧＨｚまでの周波数帯域を使用して超高周波（ＳＨＦ：super high frequency）領域で動作し得る。ＳＨＦ領域は、他のユーザからの干渉を許容できるデバイスによって機会主義的に使用され得る、５ＧＨｚ産業科学医療用（ＩＳＭ：industrial, scientific, and medical）帯域などの帯域を含む。
【００５７】
[0065]  ワイヤレス通信システム１００はまた、ミリメートル帯域としても知られる（例えば、３０ＧＨｚから３００ＧＨｚまでの）スペクトルの極高周波（ＥＨＦ：extremely high frequency）領域で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。場合によっては、これは、ＵＥ１１５内でのアンテナアレイの使用を容易にし得る。しかしながら、ＥＨＦ送信の伝搬は、ＳＨＦ送信またはＵＨＦ送信よりさらに大きい大気減衰および短い距離を被る場合がある。本明細書で開示された技法は、１つまたは複数の異なる周波数領域を使用する送信にわたって採用されてよく、これらの周波数領域にわたる帯域の指定された使用は、国または規制団体によって異なる場合がある。
【００５８】
[0066]  場合によっては、ワイヤレス通信システム１００は、認可無線周波数スペクトル帯域と無認可無線周波数スペクトル帯域の両方を利用し得る。例えば、ワイヤレス通信システム１００は、５ＧＨｚのＩＳＭ帯域などの無認可帯域中でライセンス支援型アクセス（ＬＡＡ：License Assisted Access）、ＬＴＥ−無認可（ＬＴＥ−Ｕ：LTE-Unlicensed）無線アクセス技術またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ：listen-before-talk）プロシージャを採用し得る。場合によっては、無認可帯域中の動作は、認可帯域（例えば、ＬＡＡ）中で動作するＣＣとともに、ＣＡ構成に基づき得る。無認可スペクトルにおける動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【００５９】
[0067]  いくつかの例では、基地局１０５またはＵＥ１１５は、複数のアンテナを装備し得、複数のアンテナは、送信ダイバーシティ、受信ダイバーシティ、多入力多出力（ＭＩＭＯ）通信、またはビームフォーミングなどの技法を採用するために使用され得る。例えば、ワイヤレス通信システム１００は、送信デバイス（例えば、基地局１０５）と受信デバイス（例えば、ＵＥ１１５）との間で送信方式を使用し得、ここで、送信デバイスは、複数のアンテナを装備し、受信デバイスは、１つまたは複数のアンテナを装備する。ＭＩＭＯ通信は、様々な空間レイヤを介して複数の信号を送信または受信することにより、スペクトル効率を上げるためにマルチパス信号伝搬を採用でき、それは空間多重化と呼ばれる場合がある。複数の信号は、例えば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（例えば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法には、複数の空間レイヤが同じ受信デバイスに送信されるシングルユーザＭＩＭＯ（ＳＵ−ＭＩＭＯ：single-user MIMO）、および複数の空間レイヤが複数のデバイスに送信されるマルチユーザＭＩＭＯ（ＭＵ−ＭＩＭＯ：multiple-user MIMO）が含まれる。
【００６０】
[0068]  空間フィルタ処理、指向性送信、または指向性受信と呼ばれることもあるビームフォーミングは、送信デバイスと受信デバイスとの間の空間経路に沿ってアンテナビーム（例えば、送信ビームまたは受信ビーム）を成形または誘導するために送信デバイスまたは受信デバイス（例えば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、デバイスに関連付けられたアンテナ要素の各々を介して搬送される信号にある振幅および位相オフセットを適用する送信デバイスまたは受信デバイスを含み得る。アンテナ要素の各々に関連付けられた調整は、（例えば、送信デバイスもしくは受信デバイスのアンテナアレイに対して、またはいくつかの他の向きに対して）特定の向きに関連付けられたビームフォーミング重みセットによって定義され得る。
【００６１】
[0069]  一例では、基地局１０５は、ＵＥ１１５との指向性通信のためのビームフォーミング動作を行うために、複数のアンテナまたはアンテナアレイを使用し得る。例えば、いくつかの信号（例えば、同期信号、基準信号、ビーム選択信号、または他の制御信号）は、異なる方向に複数回基地局１０５によって送信され得、送信の異なる方向に関連付けられた異なるビームフォーミング重みセットに従って送信されている信号を含み得る。異なるビーム方向への送信は、基地局１０５によって後続の送信および／または受信のためのビーム方向を識別するために（例えば、基地局１０５またはＵＥ１１５などの受信デバイスによって）使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくともイン部分的に基づいて決定され得る。例えば、ＵＥ１１５は、異なる方向に基地局１０５によって送信された信号のうちの１つまたは複数を受信し得、ＵＥ１１５は、それが最高の信号品質または別様の許容できる信号品質で受信した信号の指示を基地局１０５に報告し得る。これらの技法について、基地局１０５によって１つまたは複数の方向に送信される信号に関して説明するが、ＵＥ１１５は、（例えば、ＵＥ１１５による後続の送信または受信のためのビーム方向を識別するために）異なる方向に複数回信号を送信すること、または（例えば、受信デバイスにデータを送信するために）単一の方向に信号を送信することを行うために同様の技法を採用し得る。
【００６２】
[0070]  受信デバイス（例えば、ｍｍＷの受信デバイスの一例であり得るＵＥ１１５）は、同期信号、基準信号、ビーム選択信号、または他の制御信号などの基地局１０５からの様々な信号を受信するときに複数の受信ビームを試み得る。例えば、受信デバイスは、異なるアンテナサブアレイを介して受信することによって、異なるアンテナサブアレイに従って受信信号を処理することによって、アンテナアレイの複数のアンテナ要素において受信された信号に適用される異なる受信ビームフォーミング重みセットに従って受信することによって、またはアンテナアレイの複数のアンテナ要素において受信された信号に適用される異なる受信ビームフォーミング重みセットに従って受信信号を処理することによって複数の受信方向を試み得、それらのいずれも、異なる受信ビームまたは受信方向に従って「リッスンすること」と呼ばれることがある。いくつかの例では、受信デバイスは、（例えば、データ信号を受信するときに）単一のビーム方向に沿って受信するために単一の受信ビームを使用し得る。単一の受信ビームは、異なる受信ビーム方向（例えば、複数のビーム方向に従ってリッスンすることに少なくとも部分的に基づいて最も高い信号強度、最も高い信号対雑音比、またはさもなければ許容できる信号品質を有すると決定されたビーム方向）に従ってリッスンすることに少なくとも部分的に基づいて決定されたビーム方向に整列され得る。
【００６３】
[0071]  場合によっては、基地局１０５またはＵＥ１１５のアンテナは、ＭＩＭＯ動作または送信もしくは受信ビームフォーミングをサポートし得る１つまたは複数のアンテナアレイ内に位置し得る。例えば、１つまたは複数の基地局アンテナまたはアンテナアレイは、アンテナ塔などのアンテナアセンブリにコロケートされ得る。場合によっては、基地局１０５に関連付けられたアンテナまたはアンテナアレイは、多様な地理的位置に配置され得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００６４】
[0072]  場合によっては、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ：Packet Data Convergence Protocol）レイヤにおける通信は、ＩＰベースであり得る。無線リンク制御（ＲＬＣ：Radio Link Control）レイヤは、場合によっては、論理チャネル上で通信するために、パケットのセグメンテーションおよびリアセンブリを行い得る。媒体アクセス制御（ＭＡＣ：Medium Access Control）レイヤは、優先度処理、およびトランスポートチャネルへの論理チャネルの多重化を行い得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００６５】
[0073]  場合によっては、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（例えば、巡回冗長検査（ＣＲＣ：cyclic redundancy check）を使用する）誤り検出、前方誤り訂正（ＦＥＣ：forward error correction）、および再送信（例えば、自動再送要求（ＡＲＱ：automatic repeat request））の組合せを含み得る。ＨＡＲＱは、劣悪な無線状態（例えば、信号対雑音状態）でのＭＡＣレイヤにおけるスループットを改善し得る。場合によっては、ワイヤレスデバイスは、デバイスがスロット中の前のシンボル中で受信されたデータについて特定のスロット中でＨＡＲＱフィードバックを与え得る同スロットＨＡＲＱフィードバックをサポートし得る。他の場合には、デバイスは、後続のスロット中でまたは何らかの他の時間間隔に従ってＨＡＲＱフィードバックを与え得る。
【００６６】
[0074]  ＬＴＥまたはＮＲにおける時間間隔は、例えば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３までにわたるシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（例えば、各シンボル期間にプリペンドされたサイクリックプレフィックスの長さに応じて）６つまたは７つの変調シンボル期間を含み得る。サイクリックプレフィックスを除いて、各シンボル期間は、２０４８個のサンプリング周期を含み得る。場合によっては、サブフレームは、ワイヤレス通信システム１００の最も小さいスケジューリングユニットであり得、送信時間間隔（ＴＴＩ：transmission time interval）と呼ばれることがある。他の場合には、ワイヤレス通信システム１００の最も小さいスケジューリングユニットは、サブフレームよりも短くなり得るか、または（例えば、短縮ＴＴＩ（ｓＴＴＩ：shortened TTI）のバースト中でまたはｓＴＴＩを使用する選択されたコンポーネントキャリア中で）動的に選択され得る。
【００６７】
[0075]  いくつかのワイヤレス通信システムでは、スロットは、１つまたは複数のシンボルを含んでいる複数のミニスロットにさらに分割され得る。いくつかの事例では、ミニスロットのシンボルまたはミニスロットは、スケジューリングの最も小さい単位であり得る。例えば、各シンボルは、サブキャリア間隔または動作の周波数帯域に応じて持続時間中で変化し得る。さらに、いくつかのワイヤレス通信システムは、複数のスロットまたはミニスロットが互いにアグリゲートされ、ＵＥ１１５と基地局１０５との間の通信のために使用されるスロットアグリゲーションを実施し得る。
【００６８】
[0076]  「キャリア」という用語は、通信リンク１２５を介した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って配置され得る。キャリアは、（例えば、ＦＤＤモードで）ダウンリンクまたはアップリンクであり得るか、または（例えば、ＴＤＤモードで）ダウンリンクおよびアップリンク通信を搬送するように構成され得る。いくつかの例では、キャリアを介して送信される信号波形は、（例えば、直交周波数分割多重（ＯＦＤＭ）またはＤＦＴ−ｓ−ＯＦＤＭなどのマルチキャリア変調（ＭＣＭ：multi-carrier modulation）技法を使用して）複数のサブキャリアから構成され得る。
【００６９】
[0077]  キャリアの組織構造は、無線アクセス技術（例えば、ＬＴＥ、ＬＴＥ−Ａ、ＮＲなど）ごとに異なり得る。例えば、キャリアを介した通信は、ＴＴＩまたはスロットに従って編成され得、その各々は、ユーザデータ並びにユーザデータを復号するのをサポートするための制御情報またはシグナリングを含み得る。キャリアはまた、キャリアのための動作を協調させる専用の収集シグナリング（例えば、同期信号またはシステム情報など）と制御シグナリングとを含み得る。いくつかの例では（例えば、キャリアアグリゲーション構成では）、キャリアはまた、他のキャリアのための動作を協調させる収集シグナリングまたは制御シグナリングを有し得る。
【００７０】
[0078]  物理チャネルは、様々な技法に従ってキャリア上で多重化され得る。物理制御チャネルと物理データチャネルとは、例えば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（例えば、共通制御領域または共通探索空間と１つまたは複数のＵＥ固有制御領域またはＵＥ固有探索空間との間で）配信され得る。
【００７１】
[0079]  キャリアは、無線周波数スペクトルの特定の帯域幅に関連付けられ得、いくつかの例では、キャリア帯域幅は、キャリアまたはワイヤレス通信システム１００の「システム帯域幅」と呼ばれることがある。例えば、キャリア帯域幅は、特定の無線アクセス技術のキャリアのための所定のいくつかの帯域幅のうちの１つ（例えば、１．４、３、５、１０、１５、２０、４０、または８０ＭＨｚ）であり得る。いくつかの例では、各被サービスＵＥ１１５は、キャリア帯域幅の部分または全てを介して動作するように構成され得る。他の例では、いくつかのＵＥ１１５は、キャリア内のあらかじめ定義された部分または範囲（例えば、サブキャリアまたはＲＢのセット）に関連付けられる狭帯域プロトコルタイプを使用した動作（例えば、狭帯域プロトコルタイプの「帯域内」展開）のために構成され得る。
【００７２】
[0080]  ＭＣＭ技法を採用するシステムでは、リソース要素は、１つのシンボル期間（例えば、１つの変調シンボルの持続時間）と１つのサブキャリアとをオブ含み得、ここで、シンボル期間とサブキャリア間隔とは、逆関係にある。各リソース要素によって搬送されるビット数は、変調方式（例えば、変調方式の程度）に依存し得る。従って、ＵＥ１１５が受信するリソース要素が多いほど、また変調方式の程度が高いほど、ＵＥ１１５のデータレートは高くなり得る。ＭＩＭＯシステムでは、ワイヤレス通信リソースは、無線周波数スペクトルリソース、時間リソース、および空間リソース（例えば、空間レイヤ）の組合せを指すことがあり、複数の空間レイヤの使用は、ＵＥ１１５との通信のためのデータレートをさらに増加させ得る。
【００７３】
[0081]  ワイヤレス通信システム１００のデバイス（例えば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連付けられたキャリアを介した同時通信をサポートできる基地局１０５および／またはＵＥを含み得る。
【００７４】
[0082]  ワイヤレス通信システム１００は、複数のセルまたはキャリア上でのＵＥ１１５との通信、すなわち、キャリアアグリゲーション（ＣＡ：carrier aggregation）またはマルチキャリア動作と呼ばれることがある特徴をサポートし得る。ＵＥ１１５は、キャリアアグリゲーション構成に従って複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００７５】
[0083]  場合によっては、ワイヤレス通信システム１００は、拡張コンポーネントキャリア（ｅＣＣ：enhanced component carrier）を利用し得る。ｅＣＣは、より広いキャリアもしくは周波数チャネル帯域幅、より短いシンボル持続時間、より短いＴＴＩ持続時間、または変更された制御チャネル構成を含む１つまたは複数の特徴によって特徴付けられ得る。場合によっては、ｅＣＣは、（例えば、複数のサービングセルが準最適または非理想バックホールリンクを有するときに）キャリアアグリゲーション構成またはデュアル接続性構成に関連付けられ得る。ｅＣＣはまた、（例えば、２つ以上の事業者がスペクトルを使用することを許可された場合）無認可スペクトルまたは共有スペクトル中で使用するように構成され得る。広いキャリア帯域幅によって特徴付けられるｅＣＣは、キャリア帯域幅全体を監視することが可能でないか、場合によっては（例えば、電力を節約するために）限られたキャリア帯域幅を使用するように構成されたＵＥ１１５によって利用され得る１つまたは複数のセグメントを含み得る。
【００７６】
[0084]  場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、低減されたシンボル持続時間（例えば、１６．６７マイクロ秒）で（例えば、２０、４０、６０、８０ＭＨｚなどの周波数チャネルまたはキャリア帯域幅に従って）広帯域信号を送信し得る。ｅＣＣ内のＴＴＩは、１つまたは複数のシンボル期間をオブ含み得る。場合によっては、ＴＴＩ持続時間（すなわち、ＴＴＩ中のシンボル期間の数）は可変であり得る。
【００７７】
[0085]  ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性により、複数のスペクトルにわたるｅＣＣの使用が可能になり得る。いくつかの例では、ＮＲ共有スペクトルは、詳細には、リソースの動的垂直（例えば、周波数にわたる）共有と水平（例えば、時間にわたる）共有とを通して、スペクトル利用率とスペクトル効率とを増加させ得る。
【００７８】
[0086]  場合によっては、ＵＥ１１５は、ＵＥ１１５がデータを受信し得るという指示(indication)について、通信リンク１２５を連続的に監視し得る。他の場合には（例えば、電力を節約し、バッテリー寿命を拡張するために）、ＵＥ１１５は間欠受信（ＤＲＸ：discontinuous reception）サイクルで構成され得る。ＤＲＸサイクルは、ＵＥ１１５が（例えば、ＰＤＣＣＨ上の）制御情報を監視し得る「オン持続時間」とＵＥ１１５が無線構成要素を電源切断し得る「ＤＲＸ期間」とを含み得る。場合によっては、ＵＥ１１５は、短いＤＲＸ周期と長いＤＲＸ周期とで構成され得る。場合によっては、ＵＥ１１５は、ＵＥ１１５が１つまたは複数の短いＤＲＸサイクルの間非アクティブである場合、長いＤＲＸサイクルに入り得る。短いＤＲＸサイクルと長いＤＲＸサイクルと連続受信との間の遷移は、内部タイマーによって、または基地局１０５からのメッセージングによって制御され得る。ＵＥ１１５は、オン持続時間中にＰＤＣＣＨ上でスケジューリングメッセージを受信し得る。スケジューリングメッセージについてＰＤＣＣＨを監視する間、ＵＥ１１５は「ＤＲＸ非アクティビティタイマー」を開始し得る。スケジューリングメッセージが正常に受信された場合、ＵＥ１１５は、データを受信する準備をし得、ＤＲＸ非アクティビティタイマーはリセットされ得る。スケジューリングメッセージを受信することなしにＤＲＸ非アクティビティタイマーが満了したとき、ＵＥ１１５は短いＤＲＸサイクルに移動し得、「ＤＲＸショートサイクルタイマー」を開始し得る。ＤＲＸショートサイクルタイマーが満了したとき、ＵＥ１１５は長いＤＲＸサイクルを再開し得る。場合によっては、ＰＯとＤＲＸサイクルとの間に１対１の関係があり得る。さらに、拡張ＤＲＸ（ｅＤＲＸ：extended DRX）では、構成された２つの周期があり得、ここで、１つは、ｅＤＲＸ周期を定義し得、他方は、あらゆるｅＤＲＸ周期の開始時に監視すべき、ページング時間ウィンドウ（ＰＴＷ）によって決定されるいくつかのＰＯを含み得るＰＯ周期を定義する。
【００７９】
[0087]  ワイヤレス通信システム１００では、基地局１０５は、ページまたはページングメッセージを介してＵＥ１１５にシステム情報の変更をシグナリングし得る。ページングメッセージは、システム情報中の変更の指示を搬送し得、さらに、ページング情報が基地局１０５に関連する１つまたは複数のＵＥ１１５のために利用可能であることを示し得る。ＵＥ１１５は、ＰＯ中に基地局から送信されるページングメッセージを周期的に監視し得る。ＰＯは、ＰＤＣＣＨまたはＰＤＳＣＨなどのダウンリンクチャネルがページングメッセージをアドレッシングするＴＴＩであり得る。ワイヤレス通信システム１００中の基地局１０５は、システム情報に変更があるのかどうかを決定するためにＵＥ１１５が特定の物理ダウンリンクチャネルを復号する必要があるのかどうかを示すためにアイドルモードページング中にＷＵＳを使用し得る。場合によっては、ＵＥ１１５は、ＷＵＳがＰＯより前に検出されるまでＰＯを監視するのを控え得る。システム情報の変更に関係する通知を逃さないことを保証するために（例えば、送信されたＷＵＳが受信されない場合）、ネットワークは、ＷＵＳの不在にかかわらずＰＯを監視するようにＵＥ１１５を構成し得る。ＷＵＳを用いないページング監視周期は、ネットワークによって構成されたサイクルに従ってページング情報を周期的に監視するように構成され得、ＵＥ１１５がそうすることを可能にし得る。例えば、基地局１０５またはネットワークは、ＰＯ周期、ＷＵＳ周期、ＲＲＭ測定周期に関係するサイクル、またはシステム情報の変更に関係する変更期間に従ってページング情報を監視するようにＵＥ１１５を構成し得る。
【００８０】
[0088]  図２は、本開示の様々な態様による、ＷＵＳ受信機のためのフォールバックモードをサポートするワイヤレス通信システム２００の一例を示す。いくつかの例では、ワイヤレス通信システム２００は、ワイヤレス通信システム１００の態様を実施し得る。ワイヤレス通信システム２００は、図１を参照しながら説明された対応するデバイスの例であり得る、基地局１０５−ａとＵＥ１１５−ａとを含み得る。基地局１０５−ａとＵＥ１１５−ａとは、通信リンク１２５−ａを介して互いに通信していることがある。場合によっては、ワイヤレス通信システム２００は、ｍｍＷスペクトルで動作し得るか、またはＮＢ−ＩｏＴまたはｅＭＴＣなどの無線技術をサポートし得る。
【００８１】
[0089]  ワイヤレス通信システム２００では、基地局１０５−ａは、（ダウンリンクデータまたは他の情報などの）情報がＵＥ１１５のうちの１つまたは複数のために利用可能であることを示すためにＵＥ１１５−ａを含む１つまたは複数のＵＥ１１５にページまたはページングメッセージ２０５を送り得る。場合によっては、ページングメッセージ２０５はまた、システム情報の（例えば、ＳＩＢの）変更の指示を搬送し得る。ページングメッセージ２０５は、ダウンリンク制御チャネルのＰＯを使用して送られ得、ここで、ダウンリンク制御チャネルは、ＰＤＣＣＨまたはＮＢ−ＰＤＣＣＨであり得る。ＰＯは、ＵＥ１１５−ａがＰＯの中間にスリープまたはＤＲＸ状態に入ることを可能にするためにページングメッセージ２０５のために構成された周期的間隔であり得、このプロセスは、アイドルモードページングと呼ばれることがある。いくつかの例では、ページング情報は、ＰＤＳＣＨ中で送られ得、これは、ＰＤＣＣＨと同じＴＴＩ中で、またはＰＤＣＣＨとは異なるＴＴＩ中で送られ得る。
【００８２】
[0090]  場合によっては、基地局１０５−ａは、ＵＥ１１５−ａがアイドルモードページング中に後続のダウンリンク物理チャネル（例えば、ＰＤＣＣＨまたはＰＤＳＣＨ）を復号しなければならないかどうかを示すために電力節約物理的信号（例えば、ＷＵＳ２１０）を使用し得る。場合によっては、ＷＵＳ２１０は、ＵＥ１１５−ａにおける電力消費量を最適化するように働き得、例えば、ここで、ＵＥ１１５−ａは、スリープ状態から復帰する前にＷＵＳ２１０の受信に依拠し得る。場合によっては、基地局１０５−ａは、十分な同期パフォーマンスを保証するためにＷＵＳ２１０（および／またはＤＴＸ）と組み合わせて周期同期信号（例えば、ＰＳＳまたはＳＳＳ）を導入し得る。他の場合には、基地局１０５−ａは、（ＤＴＸモードにも対応し得る）ＷＵＳモードで周期同期信号を導入しないことがある。
【００８３】
[0091]  場合によっては、ネットワークまたは基地局１０５−ａは、ＳＩＢに関係する１つまたは複数の情報フィールドを変更し得る。そのような場合、基地局１０５−ａは、変更されたＳＩＢ、並びに更新されたフィールド（例えば、ｓｙｓｔｅｍＩｎｆｏＶａｌｕｅＴａｇ）をもつ別のＳＩＢ（例えば、ＳＩＢ１）を送信することに進み得る。さらに、基地局１０５−ａは、システム情報が変更されているという指示(indication)をもつページングメッセージ２０５を送信し得る。例えば、基地局１０５−ａは、システム情報の変更に関係するページングメッセージ２０５内のフィールドまたは情報要素（例えば、ｓｙｓｔｅｍＩｎｆｏＭｏｄｉｆｉｃａｔｉｏｎ）を更新し得る。場合によっては、フィールドは、ブール値を備え、例えば、（例えば、「１」のビット値をもつブール論理を使用して）「真」に設定され得る。
【００８４】
[0092]  システム情報の変更（例えば、ｓｙｓｔｅｍＩｎｆｏＭｏｄｉｆｉｃａｔｉｏｎ＝真）を示すページングメッセージ２０５を受信すると、ＵＥ１１５−ａは、システム情報の変更に関係するさらなる詳細についてＳＩＢ１を監視することを試み得る。例えば、ＳＩＢ１内で送信されるｓｙｓｔｅｍＩｎｆｏＶａｌｕｅＴａｇは、変更期間中に変更し得、システム情報の変更の指示(indication)を与え得る。場合によっては、変更期間は、別のシステム情報ブロック（例えば、ＳＩＢ２中のｍｏｄｉｆｉｃａｔｉｏｎＰｅｒｉｏｄＣｏｅｆｆ）中に指定され得る。場合によっては、ＵＥ１１５−ａは、システム情報が次の変更期間の境界において変化すると決定し得る。
【００８５】
[0093]  場合によっては、ＵＥ１１５−ａは、ＷＵＳ２１０を検出することが可能であり、そうするように構成され得、従って、上位レイヤによって構成されたＷＵＳ周期に基づいてＷＵＳ２１０を検出し得る。従って、ＵＥ１１５−ａが電力節約のためにＷＵＳ２１０を検出するように構成される場合、ＷＵＳ２１０が検出されない場合、ＵＥ１１５−ａは、ＰＤＣＣＨまたはＰＤＳＣＨなどのダウンリンクチャネルを読み取らないことがある。いくつかの状況では、しかしながら、ＷＵＳ２１０がページングメッセージ２０５のために送信されたとしても、ＵＥ１１５−ａはＷＵＳ２１０を逃し得る。例えば、比較的大きいカバレージエリア、周波数オフセット、時間ドリフト、または近隣基地局１０５（図示せず）とのセル間干渉による大きいＭＣＬは、逃したＷＵＳ２１０につながり得る。場合によっては、（例えば、電源異常による）基地局１０５−ａにおけるネットワークエラーまたはリセットは、ＷＵＳ構成の変更につながり得る。例えば、基地局１０５−ａは、電気的な問題によりセーフモードで再起動し、ＷＵＳ動作の損失を生じ得る。従って、ＵＥ１１５−ａがＷＵＳ２１０を正しく検出できない場合、ＵＥ１１５−ａは、ページングメッセージ２０５内のページング情報によって搬送されるシステム情報の重要な変更を逃し得、これは、ＵＥ１１５−ａのパフォーマンスに影響を及ぼし得る。
【００８６】
[0094]  システム情報の変更を逃すことによって影響を及ぼされるネットワークおよび／またはＵＥパフォーマンスを緩和するために、基地局１０５−ａは、ページング情報を周期的に監視するようにＵＥ１１５−ａを構成し得る。すなわち、ＷＵＳ２１０がＵＥ１１５−ａによって逃された（例えば、受信されない）ときでも、ＵＥ１１５−ａは、基地局１０５−ａから送られたページング情報を監視し得る。例えば、基地局１０５−ａは、ＵＥ１１５−ａがＷＵＳの受信のほかにページング情報を監視することを可能にするかまたはそれをトリガするために「ＷＵＳを用いないページ監視周期」でＵＥ１１５−ａを構成し得る。場合によっては、構成は、（例えば、ＳＩＢ、ＲＲＣを介して、または上位レイヤパラメータを通して）明示的にシグナリングされ得る。例えば、ページング時間ウィンドウ（ＰＴＷ：paging time window）およびＤＲＸパラメータは、非アクセス層（ＮＡＳ：non-access stratum）シグナリングメッセージを介してネゴシエートされ得、ページ監視周期構成は、そのようなＮＡＳシグナリングを介して示され得る。他の場合には、基地局１０５−ａは、ＷＵＳを用いないページ監視周期でＵＥ１１５−ａを構成するためにあらかじめ定義されたパラメータを利用し得る。例えば、基地局１０５−ａは、ＵＥ１１５−ａが少なくとも１回ＷＵＳ２１０を監視するのをスキップし得る最大期間を設定し得る。ＷＵＳ２１０を監視するのをスキップすることは、ＷＵＳ２１０がない場合にページング情報を監視することに対応し得る。場合によっては、構成は、例えば、「ＷＵＳを用いないページ監視周期」とＤＲＸサイクルなどの別のパラメータとの間の関係を述べることによって暗黙的にシグナリングされ得る。
【００８７】
[0095]  本明細書で説明されるように、これらの技法は、ページングメッセージ２０５を周期的に監視するためにＷＵＳ２１０を使用して動作するように構成されるときにＵＥ１１５−ａにフォールバックモードを可能にし得る。そのような場合、ＵＥ１１５−ａがページングメッセージ２０５を監視するために復帰する周期は動的に構成され、ＷＵＳ２１０の逃した／失敗した受信に対する異なるレベルの保護を可能にし得る。例えば、基地局１０５−ａは、セル内で経験されるチャネル状態または干渉に基づいてページ監視周期を構成し得る。従って、ページ監視周期は、ＵＥ１１５−ａがページ監視周期の動的構成に少なくともオンパート基づいてより高い頻度またはより低い頻度で復帰するように構成され得る。
【００８８】
[0096]  いくつかの例では、フォールバックモードの使用は、ＵＥ１１５−ａがモバイルであるときに効率的な通信を可能にし得る。例えば、ＵＥ１１５−ａは、異なるセル間を移動していることがある。それぞれのセルはそれぞれ、ＷＵＳの使用をサポートし得、ＵＥ１１５−ａは、隣接セル（例えば、ＵＥ１１５−ａが基地局１０５−ａによって与えられたセルに移動する前にＵＥ１１５−ａを前にサービスしたセル）によって使用されるＷＵＳに関連する情報を有し得る。基地局１０５−ａによって与えられたセルに移動するときに、ＵＥ１１５−ａは、基地局１０５−ａによって送信されたＷＵＳ２１０に関連する情報（例えば、構成）を直ちに有していないことがある。従って、ＵＥ１１５−ａが（例えば、ページ監視周期に基づいて）ＷＵＳ２１０の受信に依拠することなしに基地局１０５−ａからページング情報を取得するために起動し得るフォールバックモードの使用により、ＵＥ１１５−ａは、基地局１０５−ａからページング情報（およびページングメッセージによって示されたシステム情報）を取得することが可能になり得る。従って、ＵＥ１１５−ａは、ＷＵＳ２１０の検出をスキップし得、ページングメッセージを直接検出し得、ここで、そのような技法の使用はＵＥ１１５−ａがセル間を移動することに基づき得る。
【００８９】
[0097]  図３は、本開示の様々な態様による、ＷＵＳ受信機のためのフォールバックモードをサポートするシステムにおけるタイミング図３００の一例を示す。いくつかの例では、タイミング図３００は、ワイヤレス通信システム１００および／または２００の態様を実施し得る。タイミング図３００は、ＷＵＳを用いないページ監視周期を採用しながらＵＥ１１５がアイドルモードページングのためにどのように起動周期を利用し得るのかの一例を示す。
【００９０】
[0098]  タイミング図３００は、ネットワークによってＷＵＳを用いないページ監視周期で構成されたＵＥ１１５のためのＰＨＹレイヤにおいてなにが行われるのかの図を示し得る。ＷＵＳを用いないページ監視の第１の展開方式では、ネットワークは、ページング情報３２０を備えるダウンリンクチャネル（例えば、ＰＤＣＣＨまたはＰＤＳＣＨ）を周期的に（例えば、Ｘ個のＰＯまたはＸ個のＤＲＸごとに）検出するようにＵＥ１１５を構成し得、ここで、各ＤＲＸサイクルは、１つのＰＯを含み得る。タイミング図３００に示されるように、ＷＵＳオケージョン３０３は、ＵＥ１１５によって検出され得る基地局１０５がＷＵＳを送信し得るオケージョンを表し得る。さらに、ＰＯ間の時間期間は、ＰＯ周期３０５によって示され得、ページ監視周期３１０は、Ｘ＊ＤＲＸ周期を有するＷＵＳを用いないページ監視周期を示す。タイミング図３００に示される例では、Ｘ＝４である。ただし、Ｘは任意の整数であり、ここで、Ｘ≧１であり得る。
【００９１】
[0099]  場合によっては、ＷＵＳ３１５（例えば、ＷＵＳ３１５−ａ）は、ＤＲＸサイクル中の１つのＰＯを監視するようにＵＥ１１５に通知し得る。例えば、Ｘ＝１である場合、ＵＥ１１５は、モードにフォールバックし、ＷＵＳ３１５が使用可能でないと仮定し得る。そのような場合、ＵＥ１１５は、各ＰＯ中のダウンリンクチャネル（ＰＤＣＣＨ／ＰＤＳＣＨ）を監視し得る。他の場合には、Ｘ＞１（例えば、Ｘ＝８、Ｘ＝１６など）である場合、ＷＵＳを用いないページ監視周期は「Ｘ＊ＤＲＸ」に設定され得る。そのような場合、ＵＥ１１５は、ＷＵＳ３１５の存在または検出にかかわらずＸ個のＤＲＸまたはＸ個のＰＯごとにページング情報３２０についてダウンリンクチャネルを監視し得る。場合によっては、タイミング図３００に示されるように、Ｘ＊ＤＲＸ周期で構成されたＵＥ１１５は、ＷＵＳ３２５を逃し得る。しかしながら、ＵＥ１１５は、ページ監視周期３１０で構成されているのでページング情報３２０−ａを検出することに依然として進み得る。すなわち、逃したＷＵＳ３２５にかかわらず、ＵＥ１１５は、ページング情報３２０−ａを受信するためにスリープ状態から起動することに進み得る。
【００９２】
[0100]  図４は、本開示の様々な態様による、ＷＵＳ受信機のためのフォールバックモードをサポートするシステムにおけるタイミング図４００の一例を示す。いくつかの例では、タイミング図４００は、ワイヤレス通信システム１００および／または２００の態様を実施し得る。タイミング図４００は、ＷＵＳを用いないページ監視周期を採用しながらアイドルモードページングのための起動サイクルがどのように動作し得るのかの一例を示す。タイミング図４００は、ネットワークによってＷＵＳを用いないページ監視周期で構成されたＵＥ１１５のためのＰＨＹレイヤにおいてなにが行われるのかの図を示し得る。タイミング図４００によって示される例では、ネットワークは、Ｙ個のＷＵＳオケージョンごとにページング情報についてダウンリンクチャネルを検出するようにＵＥ１１５を構成し、ここで、Ｙ≧１であり得る。図３を参照しながら説明された例とは異なり、この例におけるページング情報検出の粒度は、ＰＯではなくＷＵＳに基づき得る。
【００９３】
[0101]  場合によっては、ＷＵＳオケージョン４０３は、ＵＥ１１５によって検出され得る基地局１０５がＷＵＳ４１５を送信し得るオケージョンを表し得る。ただし、タイミング図４００に示されるように、（例えば、ＷＵＳオケージョン４０３−ａにおける）ＷＵＳ４１５は、拡張ＤＲＸ（ｅＤＲＸ）サイクル中のＰＴＷ内の１つのＰＯまたは複数のＰＯを監視するようにＵＥ１１５に通知し得る（例えば、Ｙ個のＰＯごとに１つのＷＵＳ４１５があり、ここで、Ｙ≧１であり得る）。ＷＵＳ周期４０５は、Ｙ＊ＰＯ周期（またはＹ＊ＤＲＸ）に等しくなり得る。場合によっては、Ｙ＝１である場合、ＵＥ１１５は、特定のモードにフォールバックし、ＷＵＳ４１５が使用可能であると仮定し得る。そのような場合、ＵＥ１１５は、ｅＤＲＸサイクル中のＰＴＷ内の１つまたは複数のＰＯ中のページング情報４２０を監視し得る。図示のように、ＷＵＳ４１５が送信され得るときの時間期間は、ＷＵＳ周期４０５によって示され得、ページ監視周期４１０は、ＷＵＳを用いないページ監視周期を表し得、これは、Ｙ＊ＷＵＳ周期４０５に等しいページ監視周期４１０を有し得る。すなわち、Ｙ＞１（例えば、Ｙ＝４、８、１６など）である場合、ＷＵＳを用いないページ監視周期は、Ｙ＊ＷＵＳ周期４０５に設定され得る。ＵＥ１１５は、システム情報またはＵＥ１１５の通信効率に影響を及ぼし得る他の情報の変更を逃す確率を低減するためにＷＵＳ４１５を検出することにかかわらずページング情報４２０についてダウンリンクチャネルを監視し得る。例えば、タイミング図４００に示されるように、Ｙ＊ＷＵＳ周期４０５を有するページ監視周期４１０を構成されたＵＥ１１５は、ＷＵＳ４２５を逃し得る。しかしながら、ＵＥ１１５は、ＷＵＳを用いないページ監視周期で構成されているのでページング情報４２０−ａを依然として検出し得る。
【００９４】
[0102]  図５は、本開示の様々な態様による、ＷＵＳ受信機のためのフォールバックモードをサポートするシステムにおけるタイミング図５００の一例を示す。いくつかの例では、タイミング図５００は、ワイヤレス通信システム１００および／または２００の態様を実施し得る。
【００９５】
[0103]  ＷＵＳを用いないページング監視の第３の展開方式では、ネットワークは、Ｍ個のＲＲＭ測定期間ごとにページングについてダウンリンクチャネルを検出するようにＵＥ１１５を構成し、ここで、Ｍ≧１であり得る。例えば、場合によっては、ＲＲＭ測定は、ＲＳＲＰ、ＲＳＲＱを測定すること、サービングセルまたはキャンピングセルを確認することなどを含み得る。いくつかの例では、測定は、ＵＥ１１５（例えば、低モビリティＵＥ１１５）のモビリティ条件を示し得る。タイミング図５００に示されるように、ＷＵＳオケージョン５０３は、基地局１０５がＵＥ１１５によって検出され得るＷＵＳ５１５を送信し得るオケージョンを表し得る。場合によっては、ＵＥ１１５は、ＤＲＸサイクルごとにＲＲＭ測定を行わず、ＵＥ１１５における電力節約が可能になり得る。
【００９６】
[0104]  さらに、ＲＲＭ測定は、ネットワークによって構成されたＲＲＭ測定周期５０５に従って行われ得る。すなわち、ネットワークは、ＵＥ１１５がある持続時間を有するＲＲＭ測定周期５０５を使用し得るかどうかを決定し、従って、ＵＥ１１５にＲＲＭ測定周期５０５の構成を与え得る。一例では、ネットワークは、ＵＥ１１５によって行われるＲＲＭ測定に基づいてＲＲＭ測定周期５０５を構成し得る。例えば、（例えば、サービングセルについて）ＵＥ１１５によって行われた前のＲＲＭ測定は、所定のしきい値内で変動を有し得、基地局１０５は、（例えば、変動に基づいて）ＵＥ１１５のために構成されたより長いＲＲＭ測定周期５０５を示し得る。場合によっては、ＲＲＭ測定は、同期信号（例えば、ＰＳＳ、ＳＳＳ、ｅＭＴＣのための再同期ＳＳ、狭帯域ＰＳＳ（ＮＰＳＳ：narrowband PSS）またはＮＢ−ＩｏＴのための狭帯域ＳＳＳ（ＮＳＳＳ：narrowband SSS））、基準信号（例えば、セル固有基準信号（ＣＲＳ：cell-specific reference signal）、ＮＢ−ＩｏＴのための狭帯域基準信号（ＮＲＳ：narrowband reference signal））、またはそれらの組合せに基づき得る。
【００９７】
[0105]  場合によっては、Ｍ＝１である場合、ＵＥ１１５は、ＲＲＭ測定期間ごとに少なくとも１回ページングすることによって示されるシステム情報の変更に関係する通知を監視し得る。他の場合には、Ｍ＞１（例えば、Ｍ＝４、８、１６など）である場合、ＷＵＳを用いないページ監視周期は、ページ監視周期５１０によって示されるように、Ｍ＊ＲＲＭ測定周期５０５に設定され得る。従って、ＵＥ１１５は、ＷＵＳが検出されるのかどうかにかかわらず、Ｍ個のＲＲＭ測定期間ごとにページング情報５２０を監視し得る。例えば、タイミング図５００に示されるように、Ｍ＊ＲＲＭ測定周期５０５に等しいページ監視周期５１０で構成されたＵＥ１１５は、ＷＵＳ５２５を逃し得る。しかしながら、ＵＥ１１５は、ＷＵＳを用いないページ監視周期で構成されているのでページング情報５２０−ａを検出することに依然として進み得る。
【００９８】
[0106]  場合によっては、ＵＥ１１５は、ＷＵＳを検出し、ＲＲＭ測定を行うための異なる受信機（例えば、受信機チェーン、アンテナ、アンテナアレイなど）を含み得る。例えば、ＵＥ１１５は、ページングを監視し、ＲＲＭ測定を行うために第１の受信機を使用し得、一方、ＵＥ１１５は、ＷＵＳを検出するために（例えば、第１の受信機よりも低い電力を有する）第２の受信機を使用し得る。従って、ＵＥ１１５がＲＲＭ測定を行うために第１の受信機をオンに切り替えるとき、ＵＥ１１５は、受信機が依然としてオンである間にページングを検出し得る。そのような技法は、ＵＥ１１５における電力消費量を最適化するようにさらに働き得、ここで、ＵＥ１１５は、追加のオケージョン時に復帰するのを控え得、代わりに、ＲＲＭ測定を行いながらページング情報を検出し得る。
【００９９】
[0107]  場合によっては、ＵＥ１１５は、各ＷＵＳオケージョンの前にＲＲＭ測定を行い得る。そのような場合、ＲＲＭ測定は、ＵＥ１１５における電力消費量をさらに最適化するように変更または緩和され得る。例えば、ＷＵＳを受信するより前にＲＲＭ測定を行うために、ＵＥ１１５は、ＷＵＳを監視することに加えてＲＲＭ測定に関連する受信機（例えば、第１の受信機）を（例えば、受信されたＷＵＳを使用して）同期または起動し得る。場合によっては、ＵＥ１１５は、それの受信リソースを効率的に利用するためにＲＲＭ測定を行うことを制限し得る。例えば、ＵＥ１１５は、Ｐ個のＤＲＸサイクルごとに１回ＲＲＭ測定を行い得、ここで、Ｐは、１よりも大きい整数であり得る。そのような場合、ＲＲＭ測定は、（例えば、あらゆるＤＲＸサイクルの間にＲＲＭ測定を行うことと比較して）より低い頻度で行われ、それによって、ＵＥ１１５がより長い持続時間の間に電力節約モードにとどまることが可能になり得る。追加または代替として、ＲＲＭ測定が（例えば、より低い頻度のＲＲＭ測定オケージョンを使用する）緩和された周期を有するとき、ＵＥ１１５は、基地局１０５と同期するためにＲＲＭ測定期間中に受信されるＷＵＳを利用し得る。そのような場合、ＷＵＳは、ＤＲＸサイクルごとに構成され得るが、ＷＵＳが検出され得るとき、ＵＥ１１５は、Ｐ個のＤＲＸサイクルごとにのみ起動し得る。
【０１００】
[0108]  場合によっては、ＵＥ１１５は、Ｒ＝Ｘ個のＰＯ＝Ｘ個のＷＵＳオケージョンごとに１回ＲＲＭ測定を行い得、ここで、各ＰＯは、１つのＷＵＳで構成され得る。いくつかの他の場合では、ＰＯが、上記の展開方式で説明されているように、例えば、ｅＤＲＸ中の２つ以上のＷＵＳで構成される場合、ＵＥ１１５は、Ｒ＝Ｙ個のＷＵＳオケージョンごとに１回ＲＲＭ測定を行い得る。場合によっては、Ｒ個のＷＵＳオケージョン内で検出されるＷＵＳがある場合、ＵＥ１１５は、ＷＵＳを検出した後にＲＲＭ測定を行い、ページングを監視し得る。他の例では、ＷＵＳがＲ個のＷＵＳオケージョン内で検出されない場合、ＵＥ１１５は、Ｒ番目のオケージョンにおいてＲＲＭ測定を行い得る。
【０１０１】
[0109]  図６は、本開示の様々な態様による、ＷＵＳ受信機のためのフォールバックモードをサポートするシステムにおけるタイミング図６００の一例を示す。いくつかの例では、タイミング図６００は、ワイヤレス通信システム１００および／または２００の態様を実施し得る。タイミング図６００は、システム情報の変更をＵＥ１１５に通知するために使用されるいくつかのワイヤレス通信システム中に展開される変更期間を示し得る。
【０１０２】
[0110]  場合によっては、システム情報の変更は、特定の無線フレーム中に行われ得、同じシステム情報が変更期間内に送信され得る。タイミング図６００に示されるように、異なる陰影パターンは異なるシステム情報を示す。さらに、変更期間６０５−ａ（例えば、ブロードキャスト制御チャネル（ＢＣＣＨ：broadcast control channel）変更期間）は、変更通知時間期間（または変更期間（ｎ））を示し、一方、変更期間６０５−ｂ（例えば、別のＢＣＣＨ変更期間）は、更新されたシステム情報が送信される時間期間（変更期間（ｎ＋１））を示す。例えば、変更期間６０５−ａ中のシステム情報６１５−ａおよび６１５−ａは、変更期間６０５−ｂ中の、それぞれ、システム情報６２０−ａおよび６２０−ｂに更新され得る。いくつかの例では、変更期間６０５−ａおよび６０５−ｂ（および任意の後続の変更期間６０５）中で同じ陰影パターンをもつタイミング図６００の他の信号は不変のままであり得る。例えば、信号６３０は、変更期間６０５ごとに変化しない（または変更されない）ことがある。
【０１０３】
[0111]  ＷＵＳを用いないページ監視周期の第４の展開方式では、ネットワークは、Ｎ個の変更期間ごとにページングおよび／またはＳＩＢ１（またはＭＩＢ）中のシステム情報の変更に関係する通知を監視するようにＵＥ１１５を構成し、ここで、Ｎ≧１であり得る。例えば、上記で説明された展開方式と同様に、Ｎ＝１である場合、ＵＥ１１５は、あらゆる変更期間６０５の間にページングメッセージ、ＳＩＢ１またはＭＩＢもしくはそれらの組合せ中のシステム情報の変更に関係する通知を監視し得る。変更期間６０５に関係する情報は、ＳＩＢ２などの別のＳＩＢ中で受信され得る。いくつかの他の場合には、Ｎ＞１である場合、ＷＵＳを用いないページ監視周期は、ページ監視周期６１０によって示されるように、Ｎ＊変更期間６０５に設定され得る。従って、ＵＥ１１５は、Ｎ個の変更期間６０５ごとにページングを監視し得る。さらに、Ｎは、ＵＥ１１５において展開される無線技術のタイプ（例えば、ｅＭＴＣ、ＮＢ−ＩｏＴなど）に基づいて異なり得る。
【０１０４】
[0112]  場合によっては、ＵＥ１１５は、図５に関して説明されたように、いつＲ個のＷＵＳオケージョン内で１つまたは複数のＲＲＭ測定を行うべきかを自律的に決定し得る。ＷＵＳ検出と併せてＲＲＭ測定を行うことの代替方式では、ＵＥ１１５は、ＷＵＳの存在または検出にかかわらず（すなわち、ＷＵＳを用いない構成されたページ監視周期６１０に従って）ページング情報を搬送するＰＤＣＣＨまたはＰＤＳＣＨなどのダウンリンクチャネルを読み取るようにネットワークまたは基地局によって構成されたときにＲＲＭ測定を行い得る。例えば、ページ監視周期６１０がＮ＊変更期間として構成され得る場合、ＷＵＳを検出することにかかわらず、システム情報の潜在的な変更があるとき、ＵＥ１１５は、ＲＲＭ測定並びに（すなわち、サービングセルまたはキャンピングセルについての）セル確認を行い得る。
【０１０５】
[0113]  図７は、本開示の様々な態様による、ＷＵＳ受信機のためのフォールバックモードをサポートするプロセスフロー７００の一例を示す。いくつかの例では、プロセスフロー７００は、ワイヤレス通信システム１００および／または２００の態様を実施し得る。さらに、プロセスフロー７００は、図１および図２を参照しながら説明されたＵＥ１１５および基地局１０５の例であり得る、ＵＥ１１５−ｂと基地局１０５−ｂとによって実施され得る。いくつかの例では、プロセスフロー７００によって示されるプロセスは、ＮＲワイヤレスシステムにおいて実施され得、ＵＥ１１５によるページングメッセージの効率的な検出のためのページ監視周期の使用をサポートし得る。
【０１０６】
[0114]  ７０５において、基地局１０５−ｂは、ページングメッセージを監視するようにＵＥ１１５−ｂを構成するためのページ監視周期（例えば、「ＷＵＳを用いないページ監視周期」）を決定し得る。いくつかのワイヤレス通信システムでは、ＷＵＳは、電力節約信号として展開され、ＰＯのページングメッセージがシステム情報またはＵＥのためのページング情報の変更を示すまでＵＥがアイドルモードのままであることを可能にし得る。従って、７１０において、基地局１０５−ｂは、複数のＷＵＳのためのＷＵＳ周期を決定し得、ここで、ＷＵＳ周期は、ページ監視周期以下であり得る。
【０１０７】
[0115]  ７１５において、基地局１０５−ｂは、ページ監視周期の構成を送信し得、ＵＥ１１５−ｂはそれを受信し得る。いくつかの例では、ページ監視構成は、任意選択で、７０５において決定されたページ監視周期と７１０において決定されたＷＵＳ周期との間の関係を示し得る。場合によっては、基地局１０５−ｂは、構成内で、ページ監視周期が１つまたは複数のＰＯを備えるという指示、またはページ監視周期が１つまたは複数のＷＵＳオケージョンを備えるという指示、またはページ監視周期が１つまたは複数のＲＲＭ測定期間を備えるという指示、またはそれらの組合せを送信し得る。場合によっては、構成はまた、ページ監視周期が１つまたは複数のＢＣＣＨ変更期間を備えるという指示を与え得る。構成は、システム情報メッセージ、ＲＲＣメッセージ、またはＮＡＳメッセージを介して送信され得る。
【０１０８】
[0116]  ７２０において、ＵＥ１１５−ｂは、例えば、受信された構成に基づいてページ監視周期を決定し得る。例えば、ＵＥ１１５−ｂは、ページ監視周期が構成に基づいて１つまたは複数のＰＯを含むと決定し得（例えば、ページ監視周期が、図３に関して上記で説明されたようにＸ＊ＤＲＸ周期である）、ここで、ＷＵＳ周期はまた、１つまたは複数のＰＯに対応し得る。そのような場合、構成は、（ただ１つのＰＯがある）ＤＲＸと（ＰＴＷによって決定された１つまたは複数のＰＯがある）ｅＤＲＸとの両方をカバーし得る。例えば、ＵＥ１１５−ｂは、ページ監視周期が構成に基づいて１つまたは複数のＷＵＳオケージョンを含むと決定し得、ここで、ＷＵＳ周期は、１つまたは複数のＰＯを含むＰＴＷ周期に対応する（例えば、ページ監視周期は、図４に関して上記で説明されたように、Ｘ＊ＷＵＳ周期である）。
【０１０９】
[0117]  いくつかの例では、ＵＥ１１５−ｂは、ページ監視周期が構成に基づいて１つまたは複数のＲＲＭ測定期間を備えると決定し得る（例えば、ページ監視周期は、図５に関して上記で説明されたように、Ｘ＊ＲＲＭ測定周期である）。追加または代替として、ＵＥ１１５−ｂは、（例えば、図６に関して上記で説明されたように）ページ監視周期が構成に基づいて１つまたは複数のＢＣＣＨ変更期間を備えると決定し得る。
【０１１０】
[0118]  ７２５において、ＵＥ１１５−ｂは、ＷＵＳ周期に基づいて複数のＷＵＳの不連続監視を行うことに進み、ページ監視周期、またはＷＵＳ周期、またはＷＵＳ周期に基づいて受信されたＷＵＳ、またはそれらの組合せに一致するページ監視期間中にページングメッセージを監視し得る。例えば、ＵＥ１１５−ｂは、ＰＯ周期と受信されたＷＵＳとに従ってページングメッセージを監視し得る。他の場合には、ＵＥ１１５−ｂは、ＰＴＷ周期と受信されたＷＵＳとに従ってページングメッセージを監視し得る。追加または代替として、ＵＥ１１５−ｂは、１つまたは複数のＰＯと受信されたＷＵＳとに従ってページングメッセージを監視し得る。場合によっては、ＵＥ１１５−ｂは、ＲＲＭ測定周期に従ってページングメッセージを監視し得るか、またはＢＣＣＨ変更期間に従って、ページングメッセージ、またはＳＩＢ、またはＭＩＢ、またはそれらの組合せを監視し得る。
【０１１１】
[0119]  図８は、本開示の態様による、ＷＵＳ受信機のためのフォールバックモードをサポートするワイヤレスデバイス８０５のブロック図８００を示す。ワイヤレスデバイス８０５は、本明細書で説明されるＵＥ１１５の態様の一例であり得る。ワイヤレスデバイス８０５は、受信機８１０と、ＵＥ通信マネージャ８１５と、送信機８２０とを含み得る。ワイヤレスデバイス８０５は、プロセッサをも含み得る。これらの構成要素の各々は（例えば、１つまたは複数のバスを介して）互いに通信していることがある。
【０１１２】
[0120]  受信機８１０は、パケット、ユーザデータ、または様々な情報チャネルに関連する制御情報（例えば、制御チャネル、データチャネル、およびＷＵＳ受信機のためのフォールバックモードに関係する情報など）などの情報を受信し得る。情報は、リンク８２５を介してデバイスの他の構成要素に受け渡され得る。受信機８１０は、図１１を参照しながら説明されるトランシーバ１１３５の態様の一例であり得る。受信機８１０は、単一のアンテナまたはアンテナのセットを利用し得る。場合によっては、受信機８１０は、ＷＵＳ周期に基づいてＷＵＳを受信し得る。
【０１１３】
[0121]  ＵＥ通信マネージャ８１５は、図１１を参照しながら説明されるＵＥ通信マネージャ１１１５の態様の一例であり得る。ＵＥ通信マネージャ８１５および／またはそれの様々な副構成要素のうちの少なくともいくつかは、ハードウェア、プロセッサによって実行されるソフトウェア、ファームウェア、またはそれらの任意の組合せで実施され得る。プロセッサによって実行されるソフトウェアで実施される場合、ＵＥ通信マネージャ８１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を行うように設計されたそれらの任意の組合せによって実行され得る。
【０１１４】
[0122]  ＵＥ通信マネージャ８１５および／またはそれの様々な副構成要素のうちの少なくともいくつかは、機能の部分が、１つまたは複数の物理デバイスによって異なる物理的ロケーションにおいて実施されるように分散されることを含めて、様々な位置に物理的に配置され得る。いくつかの例では、ＵＥ通信マネージャ８１５および／またはそれの様々な副構成要素のうちの少なくともいくつかは、本開示の様々な態様による、分離したおよび別個の構成要素であり得る。他の例では、ＵＥ通信マネージャ８１５および／またはその様々な副構成要素の少なくとも一部は、入出力構成要素、トランシーバ、ネットワークサーバ、別のコンピューティングデバイス、本開示で説明される１つもしくは複数の他の構成要素、または本開示の様々な態様によるその組合せを含むがこれに限定されない１つもしくは複数の他のハードウェア構成要素と組み合わされ得る。
【０１１５】
[0123]  ＵＥ通信マネージャ８１５または受信機８１０は、ページ監視周期の構成を受信し、ＷＵＳの構成を受信し得る。場合によっては、ＵＥ通信マネージャ８１５は、ＷＵＳ周期に基づいてＷＵＳのセットの不連続監視を行い、ページ監視周期、ＷＵＳ周期、および受信されたＷＵＳに従ってページ監視期間中にページングメッセージを監視し得る。
【０１１６】
[0124]  いくつかの例では、ＵＥ通信マネージャ８１５は、起動信号周期の構成を受信し、起動信号周期に少なくとも部分的に基づいて複数の起動信号の不連続監視を行い、ＲＲＭ測定周期に従ってＲＲＭ測定を行い得、ここにおいて、ＲＲＭ測定周期は、起動信号周期に従って１つまたは複数の起動信号オケージョンに対応する。
【０１１７】
[0125]  送信機８２０は、デバイスの他の構成要素によって生成された信号を送信し得る。場合によっては、送信機８２０は、リンク８３０を介してデバイスの他の構成要素から情報を受信し得る。いくつかの例では、送信機８２０は、トランシーバモジュールにおいて受信機８１０とコロケートされ得る。例えば、送信機８２０は、図１１を参照しながら説明するトランシーバ１１３５の態様の一例であり得る。送信機８２０は、単一のアンテナまたはアンテナのセットを利用し得る。
【０１１８】
[0126]  図９は、本開示の態様による、ＷＵＳ受信機のためのフォールバックモードをサポートするワイヤレスデバイス９０５のブロック図９００を示す。ワイヤレスデバイス９０５は、図８を参照しながら説明されたワイヤレスデバイス８０５またはＵＥ１１５の態様の一例であり得る。ワイヤレスデバイス９０５は、受信機９１０と、ＵＥ通信マネージャ９１５と、送信機９２０とを含み得る。ワイヤレスデバイス９０５は、プロセッサをも含み得る。これらの構成要素の各々は（例えば、１つまたは複数のバスを介して）互いに通信していることがある。
【０１１９】
[0127]  受信機９１０は、パケット、ユーザデータ、または様々な情報チャネルに関連する制御情報（例えば、制御チャネル、データチャネル、およびＷＵＳ受信機のためのフォールバックモードに関係する情報など）などの情報を受信し得る。情報は、リンク９４０を介してデバイスの他の構成要素に受け渡され得る。受信機９１０は、図１１を参照しながら説明されるトランシーバ１１３５の態様の一例であり得る。受信機９１０は、単一のアンテナまたはアンテナのセットを利用し得る。
【０１２０】
[0128]  ＵＥ通信マネージャ９１５は、図１１を参照しながら説明されるＵＥ通信マネージャ１１１５の態様の一例であり得る。ＵＥ通信マネージャ９１５はまた、ＵＥページ監視構成要素９２５と、ＵＥ起動信号構成要素９３０と、デコーダ９３５とを含み得る。
【０１２１】
[0129]  ＵＥページ監視構成要素９２５は、ページ監視周期の構成を受信し、検出されたページングメッセージに基づいてシステム情報変更通知を識別し、ページ監視周期が構成に基づいて１つまたは複数のＰＯを含むと決定し得る。場合によっては、ＷＵＳ周期は、１つまたは複数のＰｏに対応し得る。いくつかの例では、ＵＥページ監視構成要素９２５は、ＰＯ周期と受信されたＷＵＳとに従ってページングメッセージを監視し得る。場合によっては、ＵＥページ監視構成要素９２５は、ＰＴＷ周期と受信されたＷＵＳとに従ってページングメッセージを監視し、および／またはＲＲＭ測定周期に従ってページングメッセージを監視し得る。追加または代替として、ＵＥページ監視構成要素９２５は、ページ監視周期、ＷＵＳ周期、および受信されたＷＵＳに従ってページ監視期間中にページングメッセージを監視し得る。場合によっては、ＵＥページ監視構成要素９２５は、ＷＵＳが少なくとも１回スキップされた時間期間に基づいてページ監視周期の構成を識別し得る。
【０１２２】
[0130]  さらに、ＵＥページ監視構成要素９２５は、ページ監視周期と１つまたは複数の他のパラメータとの間の関係に基づいてページ監視周期の構成を識別し、監視に基づいてページ監視期間中にページングメッセージを検出し得、ここで、ページングメッセージは、受信されたＷＵＳに基づいて検出される。場合によっては、ＵＥページ監視構成要素９２５は、ＢＣＣＨ変更期間に従って、ページングメッセージ、システム情報ブロック、ＭＩＢ、またはそれらの組合せを監視し得る。場合によっては、ページ監視周期の構成を受信することは、システム情報メッセージ、ＲＲＣメッセージ、ＮＡＳメッセージ、またはそれらの組合せを介してページ監視周期の構成を受信することを含む。場合によっては、ＵＥページ監視構成要素９２５は、リンク９５０を介してＵＥ通信マネージャ９１５の様々な構成要素と通信していることがある。
【０１２３】
[0131]  ＵＥ起動信号構成要素９３０は、ＷＵＳの構成を受信し、ＷＵＳ周期に基づいてＷＵＳのセットの不連続監視を行い、ページ監視周期が構成に基づいて１つまたは複数のＷＵＳオケージョンを含むと決定し、ここで、ＷＵＳ周期は、１つまたは複数のＰＯを含むＰＴＷ周期に対応する、ページ監視周期が構成に基づいて１つまたは複数のＷＵＳオケージョンを含むと決定し得、ここで、ＷＵＳ周期は１つまたは複数のＰＯに対応する。場合によっては、ＵＥ起動信号構成要素９３０は、さらに、ＷＵＳが１つまたは複数のＷＵＳオケージョンにおいて検出されたのかどうかを決定し得る。
【０１２４】
[0132]  デコーダ９３５は、ワイヤレスデバイス９０５の様々な構成要素によって受信されたパケット、ユーザデータ、または様々な情報チャネルに関連する制御情報（例えば、制御チャネル、データチャネル、およびＷＵＳ受信機のためのフォールバックモードに関係する情報など）などの情報を復号し得る。場合によっては、デコーダ９３５は、リンク９５５を介してデバイスの様々な構成要素から情報を受信し得る。
【０１２５】
[0133]  送信機９２０は、デバイスの他の構成要素によって生成され、リンク９４５を介して受信された信号を送信し得る。いくつかの例では、送信機９２０は、トランシーバモジュールにおいて受信機９１０とコロケートされ得る。例えば、送信機９２０は、図１１を参照しながら説明されるトランシーバ１１３５の態様の一例であり得る。送信機９２０は、単一のアンテナまたはアンテナのセットを利用し得る。
【０１２６】
[0134]  図１０は、本開示の態様による、ＷＵＳ受信機のためのフォールバックモードをサポートするＵＥ通信マネージャ１０１５のブロック図１０００を示す。ＵＥ通信マネージャ１０１５は、図８、図９、および図１１を参照しながら説明されるＵＥ通信マネージャ８１５、ＵＥ通信マネージャ９１５、またはＵＥ通信マネージャ１１１５の態様の一例であり得る。ＵＥ通信マネージャ１０１５は、ＵＥページ監視構成要素１０２０と、ＵＥ起動信号構成要素１０２５と、ＲＲＭ測定構成要素１０３０と、ＵＥブロードキャストチャネル構成要素１０３５と、デコーダ１０４０とを含み得る。これらのモジュールの各々は、直接または間接的に、（例えば、１つまたは複数のバスを介して）互いに通信し得る。
【０１２７】
[0135]  ＵＥページ監視構成要素１０２０は、ページ監視周期の構成を受信し、検出されたページングメッセージに基づいてシステム情報変更通知を識別し、ページ監視周期が構成に基づいて１つまたは複数のＰＯを含むと決定し得、ここで、ＷＵＳ周期は１つまたは複数のＰｏに対応する。いくつかの例では、ＵＥページ監視構成要素１０２０は、ＰＯ周期と受信されたＷＵＳとに従ってページングメッセージを監視し得る。場合によっては、ＵＥページ監視構成要素１０２０は、さらに、ＰＴＷ周期と受信されたＷＵＳとに従ってページングメッセージを監視し、ＲＲＭ測定周期に従ってページングメッセージを監視し、ページ監視周期と、ＷＵＳ周期と、受信されたＷＵＳとに従ってページ監視期間中にページングメッセージを監視し得る。場合によっては、ＵＥページ監視構成要素１０２０は、ＷＵＳが少なくとも１回スキップされた時間期間に基づいてページ監視周期の構成を識別し得る。
【０１２８】
[0136]  場合によっては、ＵＥページ監視構成要素１０２０は、ページ監視周期と１つまたは複数の他のパラメータとの間の関係に基づいてページ監視周期の構成を識別し、監視に基づいてページ監視期間中にページングメッセージを検出し、ここで、ページングメッセージは、受信されたＷＵＳに基づいて検出される、ＢＣＣＨ変更期間に従って、ページングメッセージ、またはシステム情報ブロック、またはＭＩＢ、またはそれらの組合せを監視し得る。場合によっては、ページ監視周期の構成を受信することは、システム情報メッセージ、またはＲＲＣメッセージ、またはＮＡＳメッセージ、またはそれらの組合せを介してページ監視周期の構成を受信することを含む。ＵＥページ監視構成要素１０２０は、１つまたは複数のＰＯと受信されたＷＵＳとに従ってページングメッセージを監視し得る。
【０１２９】
[0137]  ＵＥ起動信号構成要素１０２５は、ＷＵＳの構成を受信し、ＷＵＳ周期に基づいてＷＵＳのセットの不連続監視を行い得る。いくつかの例では、ＵＥ起動信号構成要素１０２５は、ページ監視周期が構成に基づいて１つまたは複数のＷＵＳオケージョンを含むと決定し、ここで、ＷＵＳ周期は、１つまたは複数のＰＯを含むＰＴＷ周期に対応する、ページ監視周期が構成に基づいて１つまたは複数のＷＵＳオケージョンを含むと決定し得る。場合によっては、ＷＵＳ周期は、１つまたは複数のＰＯに対応する。場合によっては、ＵＥ起動信号構成要素１０２５は、ＷＵＳが１つまたは複数のＷＵＳオケージョンにおいて検出されたのかどうかを決定し得る。
【０１３０】
[0138]  ＲＲＭ測定構成要素１０３０は、ページ監視周期が構成に基づいて１つまたは複数のＲＲＭ測定期間を含むと決定し、ＷＵＳ周期に従ってＲＲＭ測定を行い、ここで、ＲＲＭ測定周期は１つまたは複数のＷＵＳオケージョンを含む、ＲＲＭ測定に基づいて、ＲＳＲＰ、ＲＳＲＱ、サービングセルの確認、またはそれらの組合せを決定し得る。場合によっては、ＲＲＭ測定構成要素１０３０は、少なくとも１つのＷＵＳが１つまたは複数のＷＵＳオケージョンにおいて検出されたという決定に基づいてＲＲＭ測定を行い、ＷＵＳが１つまたは複数のＷＵＳオケージョンにおいて検出されないという決定に基づいて時間的に最後のＷＵＳオケージョンにおいてＲＲＭ測定を行い、ページ監視周期に従ってＲＲＭ測定を行い得る。
【０１３１】
[0139]  ＵＥブロードキャストチャネル構成要素１０３５は、ページ監視周期が構成に基づいて１つまたは複数のＢＣＣＨ変更期間を含むと決定し得る。デコーダ１０４０は、ＵＥ通信マネージャ１０１５の様々な構成要素またはＵＥ通信マネージャをホストするワイヤレスデバイスによって取得されたパケット、ユーザデータ、または様々な情報チャネルに関連する制御情報（例えば、制御チャネル、データチャネル、およびＷＵＳ受信機のためのフォールバックモードに関係する情報など）などの情報を復号し得る。
【０１３２】
[0140]  図１１は、本開示の態様による、ＷＵＳ受信機のためのフォールバックモードをサポートするデバイス１１０５を含むシステム１１００の図を示す。デバイス１１０５は、例えば、図８および図９を参照して本明細書で説明されたワイヤレスデバイス８０５、ワイヤレスデバイス９０５、またはＵＥ１１５の一例であるか、またはその構成要素を含み得る。デバイス１１０５は、ＵＥ通信マネージャ１１１５と、プロセッサ１１２０と、メモリ１１２５と、ソフトウェア１１３０と、トランシーバ１１３５と、アンテナ１１４０と、Ｉ／Ｏコントローラ１１４５とを含む、通信を送信および受信するための構成要素を含む双方向音声およびデータ通信のための構成要素を含み得る。これらの構成要素は、１つまたは複数のバス（例えば、バス１１１０）を介して電子通信していることがある。デバイス１１０５は、１つまたは複数の基地局１０５とワイヤレス通信し得る。
【０１３３】
[0141]  プロセッサ１１２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ１１２０は、メモリコントローラを使用してメモリアレイを動作させるように構成され得る。他の場合には、メモリコントローラはプロセッサ１１２０に組み込まれ得る。プロセッサ１１２０は、様々な機能（例えば、ＷＵＳ受信機のためのフォールバックモードをサポートする、機能またはタスク）を行うために、メモリに記憶されたコンピュータ可読命令を実行するように構成され得る。
【０１３４】
[0142]  メモリ１１２５は、ランダムアクセスメモリ（ＲＡＭ）および読取り専用メモリ（ＲＯＭ）を含み得る。メモリ１１２５は、実行されたときに、本明細書で説明される様々な機能を行うことをプロセッサにさせる命令を含むコンピュータ可読、コンピュータ実行可能ソフトウェア１１３０を記憶し得る。場合によっては、メモリ１１２５は、特に、周辺構成要素またはデバイスとの対話などの基本的なハードウェアまたはソフトウェア動作を制御し得る基本入出力システム（ＢＩＯＳ）を含み得る。
【０１３５】
[0143]  ソフトウェア１１３０は、ＷＵＳ受信機のためのフォールバックモードをサポートするためのコードを含む本開示の態様を実施するためのコードを含み得る。ソフトウェア１１３０は、システムメモリまたは他のメモリなど、非一時的コンピュータ可読媒体に記憶され得る。場合によっては、ソフトウェア１１３０は、プロセッサによって直接的に実行可能でないことがあるが、（例えば、コンパイルされ実行されたとき）コンピュータに本明細書で説明される機能を行わさせ得る。
【０１３６】
[0144]  トランシーバ１１３５は、本明細書で説明されるように、１つまたは複数のアンテナ、ワイヤードリンク、またはワイヤレスリンクを介して双方向に通信し得る。例えば、トランシーバ１１３５はワイヤレストランシーバを表し得、別のワイヤレストランシーバと双方向に通信し得る。トランシーバ１１３５はまた、パケットを変調し、変調されたパケットを送信のためにアンテナに与えるための、およびアンテナから受信されたパケットを復調するためのモデムを含み得る。場合によっては、ワイヤレスデバイスは単一のアンテナ１１４０を含み得る。しかしながら、場合によっては、デバイスは、複数のワイヤレス送信を同時に送信または受信することが可能であり得る２つ以上のアンテナ１１４０を有し得る。
【０１３７】
[0145]  Ｉ／Ｏコントローラ１１４５は、デバイス１１０５のための入力および出力信号を管理し得る。Ｉ／Ｏコントローラ１１４５は、デバイス１１０５に組み込まれていない周辺機器をも管理し得る。場合によっては、Ｉ／Ｏコントローラ１１４５は外部周辺機器への物理接続またはポートを表し得る。場合によっては、Ｉ／Ｏコントローラ１１４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合、Ｉ／Ｏコントローラ１１４５は、モデム、キーボード、マウス、タッチスクリーン、または同様のデバイスを表すか、またはそれらと対話し得る。場合によっては、Ｉ／Ｏコントローラ１１４５はプロセッサの一部として実施され得る。場合によっては、ユーザは、Ｉ／Ｏコントローラ１１４５を介して、またはＩ／Ｏコントローラ１１４５によって制御されるハードウェア構成要素を介してデバイス１１０５と対話し得る。
【０１３８】
[0146]  図１２は、本開示の態様による、ＷＵＳ受信機のためのフォールバックモードをサポートするワイヤレスデバイス１２０５のブロック図１２００を示す。ワイヤレスデバイス１２０５は、本明細書で説明する基地局１０５の態様の一例であり得る。ワイヤレスデバイス１２０５は、受信機１２１０と、基地局通信マネージャ１２１５と、送信機１２２０とを含み得る。ワイヤレスデバイス１２０５は、プロセッサをも含み得る。これらの構成要素の各々は（例えば、１つまたは複数のバスを介して）互いに通信していることがある。
【０１３９】
[0147]  受信機１２１０は、パケット、ユーザデータ、または様々な情報チャネルに関連する制御情報（例えば、制御チャネル、データチャネル、およびＷＵＳ受信機のためのフォールバックモードに関係する情報など）などの情報を受信し得る。情報は、リンク１２２５を介してデバイスの他の構成要素に受け渡され得る。受信機１２１０は、図１５を参照しながら説明されるトランシーバ１５３５の態様の一例であり得る。受信機１２１０は、単一のアンテナまたはアンテナのセットを利用し得る。
【０１４０】
[0148]  基地局通信マネージャ１２１５は、図１５を参照しながら説明される基地局通信マネージャ１５１５の態様の一例であり得る。基地局通信マネージャ１２１５および／またはそれの様々な副構成要素のうちの少なくともいくつかは、ハードウェア、プロセッサによって実行されるソフトウェア、ファームウェア、またはそれらの任意の組合せで実施され得る。プロセッサによって実行されるソフトウェアで実施される場合、基地局通信マネージャ１２１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を行うように設計されたそれらの任意の組合せによって実行され得る。
【０１４１】
[0149]  基地局通信マネージャ１２１５および／またはそれの様々な副構成要素のうちの少なくともいくつかは、機能の部分が、１つまたは複数の物理デバイスによって異なる物理的ロケーションにおいて実施されるように分散されることを含めて、様々な位置に物理的に配置され得る。いくつかの例では、基地局通信マネージャ１２１５および／またはそれの様々な副構成要素のうちの少なくともいくつかは、本開示の様々な態様による、分離したおよび別個の構成要素であり得る。場合によっては、基地局通信マネージャ１２１５は、リンク１２３０を介して送信機１２２０にオン情報を移し得、リンク１２２５を介して受信機１２１０から情報をレシーバし得る。他の例では、基地局通信マネージャ１２１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１４２】
[0150]  基地局通信マネージャ１２１５は、ページングメッセージを監視するようにＵＥ１１５を構成するためのページ監視周期を決定し、ＷＵＳのセットのためのＷＵＳ周期を決定し、ＷＵＳ周期は、ページ監視周期以下であり得る。
【０１４３】
[0151]  いくつかの例では、基地局通信マネージャ１２１５は、複数の起動信号のための起動信号周期を決定し、起動信号周期に基づいて、ＵＥがＲＲＭ測定を行うようにＲＲＭ測定周期を構成し、ここにおいて、ＲＲＭ測定周期は、起動信号周期に従って１つまたは複数の起動信号オケージョンに対応し、ＵＥにＲＲＭ測定周期を示す構成を送信し得る。
【０１４４】
[0152]  送信機１２２０は、デバイスの他の構成要素によって生成され、リンク１２３０を介して受信された信号を送信し得る。いくつかの例では、送信機１２２０は、トランシーバモジュールにおいて受信機１２１０とコロケートされ得る。例えば、送信機１２２０は、図１５を参照しながら説明されるトランシーバ１５３５の態様の一例であり得る。送信機１２２０は、単一のアンテナまたはアンテナのセットを利用し得る。
【０１４５】
[0153]  送信機１２２０は、ＵＥにページ監視周期の構成を送信し得、ここで、構成は、ページ監視周期とＷＵＳ周期との間の関係を示す。
【０１４６】
[0154]  図１３は、本開示の態様による、ＷＵＳ受信機のためのフォールバックモードをサポートするワイヤレスデバイス１３０５のブロック図１３００を示す。ワイヤレスデバイス１３０５は、図１２を参照しながら説明されたワイヤレスデバイス１２０５または基地局１０５の態様の一例であり得る。ワイヤレスデバイス１３０５は、受信機１３１０と、基地局通信マネージャ１３１５と、送信機１３２０とを含み得る。ワイヤレスデバイス１３０５は、プロセッサをも含み得る。これらの構成要素の各々は（例えば、１つまたは複数のバスを介して）互いに通信していることがある。
【０１４７】
[0155]  受信機１３１０は、パケット、ユーザデータ、または様々な情報チャネルに関連する制御情報（例えば、制御チャネル、データチャネル、およびＷＵＳ受信機のためのフォールバックモードに関係する情報など）などの情報を受信し得る。情報は、リンク１３３５を介してデバイスの他の構成要素に受け渡され得る。受信機１３１０は、図１５を参照しながら説明されるトランシーバ１５３５の態様の一例であり得る。受信機１３１０は、単一のアンテナまたはアンテナのセットを利用し得る。
【０１４８】
[0156]  基地局通信マネージャ１３１５は、図１５を参照しながら説明される基地局通信マネージャ１５１５の態様の一例であり得る。基地局通信マネージャ１３１５はまた、基地局ページ監視構成要素１３２５と基地局起動信号構成要素１３３０とを含み得る。
【０１４９】
[0157]  基地局ページ監視構成要素１３２５は、ページングメッセージを監視するようにＵＥ１１５を構成するためのページ監視周期を決定し、構成内で、ページ監視周期が１つまたは複数のＰＯを含むという指示を送信し得、ここで、ＷＵＳ周期は、１つまたは複数のＰＯに対応する。場合によっては、ページ監視周期の構成を送信することは、システム情報メッセージ、またはＲＲＣメッセージ、またはＮＡＳメッセージ、またはそれらの組合せを介してページ監視周期の構成を送信することを含む。
【０１５０】
[0158]  基地局起動信号構成要素１３３０は、ＷＵＳのセットのためのＷＵＳ周期を決定し、ＷＵＳ周期は、ページ監視周期以下である、構成内で、ページ監視周期が１つまたは複数のＷＵＳオケージョンを含むという指示を送信し、ここで、ＷＵＳ周期は、１つまたは複数のＰＯを含むＰＴＷ周期に対応する、構成内で、ページ監視周期が構成に基づいて１つまたは複数のＷＵＳオケージョンを含むという指示を送信し得、ここで、ＷＵＳ周期は、１つまたは複数のＰＯに対応する。
【０１５１】
[0159]  送信機１３２０は、デバイスの他の構成要素によって生成され、リンク１３４０を介して受信された信号を送信し得る。いくつかの例では、送信機１３２０は、トランシーバモジュールにおいて受信機１３１０とコロケートされ得る。例えば、送信機１３２０は、図１５を参照しながら説明されるトランシーバ１５３５の態様の一例であり得る。送信機１３２０は、単一のアンテナまたはアンテナのセットを利用し得る。
【０１５２】
[0160]  図１４は、本開示の態様による、ＷＵＳ受信機のためのフォールバックモードをサポートする基地局通信マネージャ１４１５のブロック図１４００を示す。基地局通信マネージャ１４１５は、図１２、図１３、および図１５を参照しながら説明される基地局通信マネージャ１５１５の態様の一例であり得る。基地局通信マネージャ１４１５は、基地局ページ監視構成要素１４２０と、基地局起動信号構成要素１４２５と、ＲＲＭ構成要素１４３０と、基地局ブロードキャストチャネル構成要素１４３５とを含み得る。これらのモジュールの各々は、直接または間接的に、（例えば、１つまたは複数のバスを介して）互いに通信し得る。
【０１５３】
[0161]  基地局ページ監視構成要素１４２０は、ページングメッセージを監視するようにＵＥ１１５を構成するためのページ監視周期を決定し、構成内で、ページ監視周期が１つまたは複数のＰＯを含むという指示を送信し得、ここで、ＷＵＳ周期は、１つまたは複数のＰＯに対応する。場合によっては、ページ監視周期の構成を送信することは、システム情報メッセージ、またはＲＲＣメッセージ、またはＮＡＳメッセージ、またはそれらの組合せを介してページ監視周期の構成を送信することを含む。
【０１５４】
[0162]  基地局起動信号構成要素１４２５は、ＷＵＳのセットのためのＷＵＳ周期を決定し、ＷＵＳ周期は、ページ監視周期以下であり得る。場合によっては、基地局起動信号構成要素１４２５は、構成内で、ページ監視周期が１つまたは複数のＷＵＳオケージョンを含むという指示を送信し得、ここで、ＷＵＳ周期は、１つまたは複数のＰｏを含むＰＴＷ周期に対応する。追加または代替として、基地局起動信号構成要素１４２５は、構成内で、ページ監視周期が構成に基づいて１つまたは複数のＷＵＳオケージョンを含むという指示を送信し得、ここで、ＷＵＳ周期は、１つまたは複数のＰＯに対応する。
【０１５５】
[0163]  ＲＲＭ構成要素１４３０は、構成内で、ページ監視周期が１つまたは複数のＲＲＭ測定期間を含むという指示を送信し得る。基地局ブロードキャストチャネル構成要素１４３５は、構成内で、ページ監視周期が１つまたは複数のＢＣＣＨ変更期間を含むという指示を送信し、ページングメッセージ内でシステム情報変更通知を送信し得る。
【０１５６】
[0164]  図１５は、本開示の態様による、ＷＵＳ受信機のためのフォールバックモードをサポートするデバイス１５０５を含むシステム１５００の図を示す。デバイス１５０５は、例えば、図１を参照しながら本明細書で説明された基地局１０５の構成要素の一例であるか、またはそれを含み得る。デバイス１５０５は、基地局通信マネージャ１５１５と、プロセッサ１５２０と、メモリ１５２５と、ソフトウェア１５３０と、トランシーバ１５３５と、アンテナ１５４０と、ネットワーク通信マネージャ１５４５と、局間通信マネージャ１５５０とを含む、通信を送信および受信するための構成要素を含む双方向音声およびデータ通信のための構成要素を含み得る。これらの構成要素は、１つまたは複数のバス（例えば、バス１５１０）を介して電子通信していることがある。デバイス１５０５は、１つまたは複数のＵＥ１１５とワイヤレスに通信できる。
【０１５７】
[0165]  プロセッサ１５２０は、インテリジェントハードウェアデバイス（例えば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ１５２０は、メモリコントローラを使用してメモリアレイを動作させるように構成され得る。他の場合には、メモリコントローラはプロセッサ１５２０に組み込まれ得る。プロセッサ１５２０は、様々な機能（例えば、ＷＵＳ受信機のためのフォールバックモードをサポートする、機能またはタスク）を行うために、メモリに記憶されたコンピュータ可読命令を実行するように構成され得る。
【０１５８】
[0166]  メモリ１５２５はＲＡＭとＲＯＭとを含み得る。メモリ１５２５は、実行されたときに、本明細書で説明される様々な機能を行うことをプロセッサにさせる命令を含むコンピュータ可読、コンピュータ実行可能ソフトウェア１５３０を記憶し得る。場合によっては、メモリ１５２５は、特に、周辺構成要素またはデバイスとの対話などの基本的なハードウェアまたはソフトウェア動作を制御し得るＢＩＯＳを含み得る。
【０１５９】
[0167]  ソフトウェア１５３０は、ＷＵＳ受信機のためのフォールバックモードをサポートするためのコードを含む本開示の態様を実施するためのコードを含み得る。ソフトウェア１５３０は、システムメモリまたは他のメモリなど、非一時的コンピュータ可読媒体に記憶され得る。場合によっては、ソフトウェア１５３０は、プロセッサによって直接的に実行可能でないことがあるが、（例えば、コンパイルされ実行されたとき）本明細書で説明される機能を行うことをコンピュータにさせ得る。
【０１６０】
[0168]  トランシーバ１５３５は、本明細書で説明されるように、１つまたは複数のアンテナ、ワイヤードリンク、またはワイヤレスリンクを介して双方向に通信し得る。例えば、トランシーバ１５３５はワイヤレストランシーバを表し得、別のワイヤレストランシーバと双方向に通信し得る。トランシーバ１５３５はまた、パケットを変調し、変調されたパケットを送信のためにアンテナに与えるための、およびアンテナから受信されたパケットを復調するためのモデムを含み得る。場合によっては、ワイヤレスデバイスは単一のアンテナ１５４０を含み得る。しかしながら、場合によっては、デバイスは、複数のワイヤレス送信を同時に送信または受信することが可能であり得る２つ以上のアンテナ１５４０を有し得る。
【０１６１】
[0169]  ネットワーク通信マネージャ１５４５は、（例えば、１つまたは複数のワイヤードバックホールリンクを介して）コアネットワークとの通信を管理し得る。例えば、ネットワーク通信マネージャ１５４５は、１つまたは複数のＵＥ１１５など、クライアントデバイスのためのデータ通信の転送を管理し得る。
【０１６２】
[0170]  局間通信マネージャ１５５０は、他の基地局１０５との通信を管理し得、他の基地局１０５と協働してＵＥ１１５との通信を制御するためのコントローラまたはスケジューラを含み得る。例えば、局間通信マネージャ１５５０は、ビームフォーミングまたはジョイント送信などの様々な干渉緩和技法のためのＵＥ１１５への送信のためのスケジューリングを協調させ得る。いくつかの例では、局間通信マネージャ１５５０は、基地局１０５間の通信を行うために、ＬＴＥ／ＬＴＥ−Ａワイヤレス通信ネットワーク技術内のＸ２インターフェースを与え得る。
【０１６３】
[0171]  図１６は、本開示の態様による、ＷＵＳ受信機のためのフォールバックモードのための方法１６００を示すフローチャートを示す。方法１６００の動作は、本明細書で説明されたように、ＵＥ１１５またはそれの構成要素によって実施され得る。例えば、方法１６００の動作は、図８〜図１１を参照しながら説明されたＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１６４】
[0172]  方法１６００は、ＵＥ１１５がアイドルモード（例えば、ＲＲＣアイドル状態）にあるときに開始し得る。１６０５において、ＵＥ１１５は、ページ監視周期の構成を受信し得る。１６０５の動作は、本明細書で説明される方法に従って行われ得る。いくつかの例では、１６０５の動作の態様は、図８〜図１１を参照しながら説明されたように、ＵＥページ監視構成要素によって行われ得る。場合によっては、ページ監視周期の構成を受信することは、構成が受信された時間および周波数リソースを識別することと、識別された時間周波数リソースを介して送信を復調することと、デコーダを使用して復調された送信を復号することとを行って、構成に関係する１つまたは複数のビットを取得することを含み得る。
【０１６５】
[0173]  １６１０において、ＵＥ１１５は、ＷＵＳの構成を受信し得る。１６１０の動作は、本明細書で説明される方法に従って行われ得る。いくつかの例では、１６１０の動作の態様は、図８〜図１１を参照しながら説明されたように、ＵＥ起動信号構成要素によって行われ得る。場合によっては、ＷＵＳを受信することは、構成が受信された時間および周波数リソースを識別することと、識別された時間周波数リソースを介して送信を復調することと、デコーダを使用して復調された送信を復号することとを行って、構成に関係する１つまたは複数のビットを取得することを伴い得る。
【０１６６】
[0174]  １６１５において、ＵＥ１１５は、ＷＵＳ周期に少なくとも部分的に基づいて複数のＷＵＳの不連続監視を行い得る。例えば、ＷＵＳ周期は、１６１０において受信されたＷＵＳ構成に基づいて決定され得る。場合によっては、ＵＥ１１５は、ＷＵＳ周期を決定するために復号プロシージャを行い得、ＷＵＳを監視するために１つまたは複数の機能要素（例えば、受信機または起動信号構成要素）を制御し得る。１６１５の動作は、本明細書で説明される方法に従って行われ得る。いくつかの例では、１６１５の動作の態様は、図８〜図１１を参照しながら説明されたように、ＵＥ起動信号構成要素によって行われ得る。
【０１６７】
[0175]  １６２０において、ＵＥ１１５は、ＷＵＳ周期に少なくとも部分的に基づいてＷＵＳを受信し得る。場合によっては、ＵＥ１１５は、ＷＵＳが受信されるインスタンスより前にアクティブ化または同期するそれの機能要素のうちの１つまたは複数を制御し得、ここにおいて、決定は、ＵＥ１１５によって決定された、またはネットワークによって示されたＷＵＳ周期に部分的に基づく。１６２０の動作は、本明細書で説明される方法に従って行われ得る。いくつかの例では、１６２０の動作の態様は、図８〜図１１を参照しながら説明されたように、受信機によって行われ得る。
【０１６８】
[0176]  １６２５において、ＵＥ１１５は、ページ監視周期、ＷＵＳ周期、および受信されたＷＵＳに従ってページ監視期間中にページングメッセージを監視し得る。さらに、ＵＥ１１５は、図２〜図６を参照しながら説明された１つまたは複数の技法に基づいてシステム情報更新を受信するためにページングメッセージを監視し得る。例えば、ＵＥ１１５は、システム情報更新を受信するためにどの技法を使用すべきか（例えば、ＷＵＳを用いないページ監視周期についてＭＩＢ、ＳＩＢ、または１つもしくは複数の展開方式をチェックすること）を決定し得る。１６２５の動作は、本明細書で説明される方法に従って行われ得る。いくつかの例では、１６２５の動作の態様は、図８〜図１１を参照しながら説明されたように、ＵＥページ監視構成要素によって行われ得る。
【０１６９】
[0177]  図１７は、本開示の態様による、ＷＵＳ受信機のためのフォールバックモードのための方法１７００を示すフローチャートを示す。方法１７００の動作は、本明細書で説明されるようにＵＥ１１５またはそれの構成要素によって実施され得る。例えば、方法１７００の動作は、図８〜図１１を参照しながら説明されたＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１７０】
[0178]  １７０５において、ＵＥ１１５は、ページ監視周期の構成を受信し得る。１７０５の動作は、本明細書で説明される方法に従って行われ得る。いくつかの例では、１７０５の動作の態様は、図８〜図１１を参照しながら説明されたように、ＵＥページ監視構成要素によって行われ得る。
【０１７１】
[0179]  １７１０において、ＵＥ１１５は、ページ監視周期が構成に基づいて１つまたは複数のＰＯを備えると決定し得、ここにおいて、ＷＵＳ周期は、１つまたは複数のＰＯに対応する。例えば、ＵＥ１１５は、構成に対応する復号された１つまたは複数のビットを識別し得、復号された１つまたは複数のビットからページ監視周期を決定し得る。１７１０の動作は、本明細書で説明される方法に従って行われ得る。いくつかの例では、１７１０の動作の態様は、図８〜図１１を参照しながら説明されたように、ＵＥページ監視構成要素によって行われ得る。
【０１７２】
[0180]  １７１５において、ＵＥ１１５は、ＷＵＳの構成を受信し得る。１７１５の動作は、本明細書で説明される方法に従って行われ得る。いくつかの例では、１７１５の動作の態様は、図８〜図１１を参照しながら説明されたように、ＵＥ起動信号構成要素によって行われ得る。
【０１７３】
[0181]  １７２０において、ＵＥ１１５は、ＷＵＳ周期に少なくとも部分的に基づいて複数のＷＵＳの不連続監視を行い得る。１７２０の動作は、本明細書で説明される方法に従って行われ得る。いくつかの例では、１７２０の動作の態様は、図８〜図１１を参照しながら説明されたように、ＵＥ起動信号構成要素によって行われ得る。
【０１７４】
[0182]  １７２５において、ＵＥ１１５は、ＷＵＳ周期に少なくとも部分的に基づいてＷＵＳを受信し得る。１７２５の動作は、本明細書で説明される方法に従って行われ得る。いくつかの例では、１７２５の動作の態様は、図８〜図１１を参照しながら説明されたように、受信機によって行われ得る。
【０１７５】
[0183]  １７３０において、ＵＥ１１５は、ページ監視周期、ＷＵＳ周期、および受信されたＷＵＳに従ってページ監視期間中にページングメッセージを監視し得る。１７３０の動作は、本明細書で説明される方法に従って行われ得る。いくつかの例では、１７３０の動作の態様は、図８〜図１１を参照しながら説明されたように、ＵＥページ監視構成要素によって行われ得る。
【０１７６】
[0184]  １７３５において、ＵＥ１１５は、ＰＯ周期と受信されたＷＵＳとに従ってページングメッセージを監視し得る。例えば、ＵＥ１１５は、ＰＯ周期と受信されたＷＵＳとに基づいて予期されたページングメッセージを監視するように受信機を調整し得る。１７３５の動作は、本明細書で説明される方法に従って行われ得る。いくつかの例では、１７３５の動作の態様は、図８〜図１１を参照しながら説明されたように、ＵＥページ監視構成要素によって行われ得る。
【０１７７】
[0185]  図１８は、本開示の態様による、ＷＵＳ受信機のためのフォールバックモードのための方法１８００を示すフローチャートを示す。方法１８００の動作は、本明細書で説明されたように、ＵＥ１１５またはそれの構成要素によって実施され得る。例えば、方法１８００の動作は、図８〜図１１を参照しながら説明されたＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１７８】
[0186]  １８０５において、ＵＥ１１５は、ページ監視周期の構成を受信し得る。１８０５の動作は、本明細書で説明される方法に従って行われ得る。いくつかの例では、１８０５の動作の態様は、図８〜図１１を参照しながら説明されたように、ＵＥページ監視構成要素によって行われ得る。
【０１７９】
[0187]  １８１０において、ＵＥ１１５は、ページ監視周期が構成に少なくとも部分的に基づいて１つまたは複数のＲＲＭ測定期間を備えると決定し得る。例えば、ＵＥ１１５は、構成に対応する復号された１つまたは複数のビットを識別し得、復号された１つまたは複数のビットからページ監視周期を決定し得る。１８１０の動作は、本明細書で説明される方法に従って行われ得る。いくつかの例では、１８１０の動作の態様は、図８〜図１１を参照しながら説明されたように、ＲＲＭ測定構成要素によって行われ得る。
【０１８０】
[0188]  １８１５において、ＵＥ１１５は、ＷＵＳの構成を受信し得る。１８１５の動作は、本明細書で説明される方法に従って行われ得る。いくつかの例では、１８１５の動作の態様は、図８〜図１１を参照しながら説明されたように、ＵＥ起動信号構成要素によって行われ得る。
【０１８１】
[0189]  １８２０において、ＵＥ１１５は、ＷＵＳ周期に少なくとも部分的に基づいて複数のＷＵＳの不連続監視を行い得る。１８２０の動作は、本明細書で説明される方法に従って行われ得る。いくつかの例では、１８２０の動作の態様は、図８〜図１１を参照しながら説明されたように、ＵＥ起動信号構成要素によって行われ得る。
【０１８２】
[0190]  １８２５において、ＵＥ１１５は、ＷＵＳ周期に少なくとも部分的に基づいてＷＵＳを受信し得る。１８２５の動作は、本明細書で説明される方法に従って行われ得る。いくつかの例では、１８２５の動作の態様は、図８〜図１１を参照しながら説明されたように、受信機によって行われ得る。
【０１８３】
[0191]  １８３０において、ＵＥ１１５は、ページ監視周期、ＷＵＳ周期、および受信されたＷＵＳに従ってページ監視期間中にページングメッセージを監視し得る。１８３０の動作は、本明細書で説明される方法に従って行われ得る。いくつかの例では、１８３０の動作の態様は、図８〜図１１を参照しながら説明されたように、ＵＥページ監視構成要素によって行われ得る。
【０１８４】
[0192]  １８３５において、ＵＥ１１５は、ＲＲＭ測定周期に従ってページングメッセージを監視し得る。例えば、ＵＥ１１５は、ＲＲＭ測定周期と受信されたＷＵＳとに基づいて予期されたページングメッセージを監視するように受信機を調整し得る。１８３５の動作は、本明細書で説明される方法に従って行われ得る。いくつかの例では、１８３５の動作の態様は、図８〜図１１を参照しながら説明されたように、ＵＥページ監視構成要素によって行われ得る。
【０１８５】
[0193]  図１９は、本開示の態様による、ＷＵＳ受信機のためのフォールバックモードのための方法１９００を示すフローチャートを示す。方法１９００の動作は、本明細書で説明されたように、ＵＥ１１５またはそれの構成要素によって実施され得る。例えば、方法１９００の動作は、図８〜図１１を参照しながら説明されたように、ＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１８６】
[0194]  １９０５において、ＵＥ１１５は、ページ監視周期の構成を受信し得る。１９０５の動作は、本明細書で説明される方法に従って行われ得る。いくつかの例では、１９０５の動作の態様は、図８〜図１１を参照しながら説明されたように、ＵＥページ監視構成要素によって行われ得る。
【０１８７】
[0195]  １９１０において、ＵＥ１１５は、ページ監視周期が構成に少なくとも部分的に基づいて１つまたは複数のＢＣＣＨ変更期間を備えると決定し得る。例えば、ＵＥ１１５は、構成に対応する復号された１つまたは複数のビットを識別し得、復号された１つまたは複数のビットからページ監視周期を決定し得る。１９１０の動作は、本明細書で説明される方法に従って行われ得る。いくつかの例では、１９１０の動作の態様は、図８〜図１１を参照しながら説明されたように、ＵＥブロードキャストチャネル構成要素によって行われ得る。
【０１８８】
[0196]  １９１５において、ＵＥ１１５は、ＷＵＳの構成を受信し得る。１９１５の動作は、本明細書で説明される方法に従って行われ得る。いくつかの例では、１９１５の動作の態様は、図８〜図１１を参照しながら説明されたように、ＵＥ起動信号構成要素によって行われ得る。
【０１８９】
[0197]  １９２０において、ＵＥ１１５は、ＷＵＳ周期に少なくとも部分的に基づいて複数のＷＵＳの不連続監視を行い得る。１９２０の動作は、本明細書で説明される方法に従って行われ得る。いくつかの例では、１９２０の動作の態様は、図８〜図１１を参照しながら説明されたように、ＵＥ起動信号構成要素によって行われ得る。
【０１９０】
[0198]  １９２５において、ＵＥ１１５は、ＷＵＳ周期に少なくとも部分的に基づいてＷＵＳを受信し得る。１９２５の動作は、本明細書で説明される方法に従って行われ得る。いくつかの例では、１９２５の動作の態様は、図８〜図１１を参照しながら説明されたように、受信機によって行われ得る。
【０１９１】
[0199]  １９３０において、ＵＥ１１５は、ページ監視周期、ＷＵＳ周期、および受信されたＷＵＳに従ってページ監視期間中にページングメッセージを監視し得る。１９３０の動作は、本明細書で説明される方法に従って行われ得る。いくつかの例では、１９３０の動作の態様は、図８〜図１１を参照しながら説明されたように、ＵＥページ監視構成要素によって行われ得る。
【０１９２】
[0200]  １９３５において、ＵＥ１１５は、ＢＣＣＨ変更期間に従って、ページングメッセージ、またはシステム情報ブロック、またはＭＩＢ、またはそれらの組合せを監視し得る。例えば、ＵＥ１１５は、ＢＣＣＨ変更期間に基づいて予期されたページングメッセージを監視するように受信機を調整し得る。１９３５の動作は、本明細書で説明される方法に従って行われ得る。いくつかの例では、１９３５の動作の態様は、図８〜図１１を参照しながら説明されたように、ＵＥページ監視構成要素によって行われ得る。
【０１９３】
[0201]  図２０は、本開示の態様による、ＷＵＳ受信機のためのフォールバックモードのための方法２０００を示すフローチャートを示す。方法２０００の動作は、本明細書で説明されるように基地局１０５またはそれの構成要素によって実施され得る。例えば、方法２０００の動作は、図１２〜図１５を参照しながら説明されたように、基地局通信マネージャによって行われ得る。いくつかの例では、基地局１０５は、本明細書で説明される機能を行うようにデバイスの機能要素を制御するためのコードのセットを実行し得る。追加または代替として、基地局１０５は、専用ハードウェアを使用して、本明細書で説明される機能の態様を行い得る。
【０１９４】
[0202]  ２００５において、基地局１０５は、ページングメッセージを監視するようにＵＥ１１５を構成するためのページ監視周期を決定し得る。場合によっては、ページ監視周期の決定は、ＵＥ１１５に展開されたＵＥの能力、電力考慮事項、無線技術、またはＵＥ１１５から受信されたかまたはネットワークによって決定された任意の他のパラメータに部分的に基づき得る。２００５の動作は、本明細書で説明される方法に従って行われ得る。いくつかの例では、２００５の動作の態様は、図１２〜図１５を参照しながら説明されたように、基地局ページ監視構成要素によって行われ得る。
【０１９５】
[0203]  ２０１０において、基地局１０５は、複数のＷＵＳのためのＷＵＳ周期を決定し、ＷＵＳ周期は、ページ監視周期以下であり得る。２０１０の動作は、本明細書で説明される方法に従って行われ得る。いくつかの例では、２０１０の動作の態様は、図１２〜図１５を参照しながら説明されたように、基地局起動信号構成要素によって行われ得る。
【０１９６】
[0204]  ２０１５において、基地局１０５は、ＵＥにページ監視周期の構成を送信し得、ここにおいて、構成は、ページ監視周期とＷＵＳ周期との間の関係を示す。場合によっては、ページ監視周期とＷＵＳ周期との間の関係は、１７０５において説明された１つまたは複数のパラメータに依存し得る。２０１５の動作は、本明細書で説明される方法に従って行われ得る。いくつかの例では、２０１５の動作の態様は、図１２〜図１５を参照しながら説明されたように、送信機によって行われ得る。場合によっては、ページ監視周期の構成は、基地局ページ監視構成要素から送信機において受信され得る。場合によっては、ＵＥ１１５にページ監視周期の構成を送信することは、構成が送信される時間および周波数リソースを識別することと、基地局ページ監視構成要素からの送信のためのビットを取得することと、送信より前にそれらを符号化することとを含み得る。場合によっては、符号化することは、基地局１０５によって決定された変調およびコーディング方式に基づいて行われ得る。
【０１９７】
[0205]  図２１は、本開示の態様による、ＷＵＳ受信機のためのフォールバックモードのための方法２１００を示すフローチャートを示す。方法２１００の動作は、本明細書で説明されるようにＵＥ１１５またはそれの構成要素によって実施され得る。例えば、方法２１００の動作は、図８〜図１１を参照しながら説明されたように、ＵＥ通信マネージャによって行われ得る。いくつかの例では、ＵＥ１１５は、本明細書で説明される機能を行うようにデバイスの機能要素を制御するためのコードのセットを実行し得る。追加または代替として、ＵＥ１１５は、専用ハードウェアを使用して、本明細書で説明される機能の態様を行い得る。
【０１９８】
[0206]  ２１０５において、ＵＥ１１５は、起動信号周期の構成を受信し得る。２１０５の動作は、本明細書で説明される方法に従って行われ得る。いくつかの例では、２１０５の動作の態様は、図８〜図１１を参照しながら説明されたように、ＵＥ起動信号構成要素によって行われ得る。場合によっては、起動信号周期の構成を受信することは、構成が受信された時間および周波数リソースを識別することと、識別された時間周波数リソースを介して送信を復調することと、デコーダを使用して復調された送信を復号することとを行って、構成に関係する１つまたは複数のビットを取得することを含み得る。
【０１９９】
[0207]  ２１１０において、ＵＥ１１５は、ＷＵＳ周期に少なくとも部分的に基づいて複数のＷＵＳの不連続監視を行い得る。例えば、ＷＵＳ周期は、２１０５において受信されたＷＵＳ構成に基づいて決定され得る。場合によっては、ＵＥ１１５は、ＷＵＳ周期を決定するために復号プロシージャを行い得、ＷＵＳを監視するために１つまたは複数の機能要素（例えば、受信機または起動信号構成要素）を制御し得る。２１１０の動作は、本明細書で説明される方法に従って行われ得る。いくつかの例では、２１１０の動作の態様は、図８〜図１１を参照しながら説明されたように、ＵＥ起動信号構成要素によって行われ得る。
【０２００】
[0208]  ２１１５において、ＵＥ１１５は、ＲＲＭ測定周期に従ってＲＲＭ測定を行い得、ここにおいて、ＲＲＭ測定周期は、起動信号周期に従って１つまたは複数の起動信号オケージョンに対応する。場合によっては、ＲＲＭ測定周期は、基地局１０５によって構成され得る。いくつかの例では、ＲＲＭ測定周期は、ＲＲＭ測定に基づいて決定され得る。２１１５の動作は、本明細書で説明される方法に従って行われ得る。いくつかの例では、２１１５の動作の態様は、図８〜図１１を参照しながら説明されたように、ＲＲＭ測定構成要素によって行われ得る。
【０２０１】
[0209]  図２２は、本開示の態様による、ＷＵＳ受信機のためのフォールバックモードのための方法２２００を示すフローチャートを示す。方法２２００の動作は、本明細書で説明される基地局１０５またはその構成要素によって実施され得る。例えば、方法２２００の動作は、図１２〜図１５を参照しながら説明されたように、基地局通信マネージャによって行われ得る。いくつかの例では、基地局１０５は、本明細書で説明される機能を行うようにデバイスの機能要素を制御するためのコードのセットを実行し得る。追加または代替として、基地局１０５は、専用ハードウェアを使用して、本明細書で説明される機能の態様を行い得る。
【０２０２】
[0210]  ２２０５において、基地局１０５は、複数の起動信号のための起動信号周期を決定し得る。２２０５の動作は、本明細書で説明される方法に従って行われ得る。いくつかの例では、２２０５の動作の態様は、図１２〜図１５を参照しながら説明されたように、基地局ページ監視構成要素によって行われ得る。
【０２０３】
[0211]  ２２１０において、基地局１０５は、起動信号周期に少なくとも部分的に基づいて、ＵＥ１１５がＲＲＭ測定を行うためのＲＲＭ測定周期を構成し得、ここにおいて、ＲＲＭ測定周期は、起動信号周期に従って１つまたは複数の起動信号オケージョンに対応する。場合によっては、基地局１０５は、（例えば、より早い時間に）ＵＥ１１５から受信したＲＲＭ測定に基づいてＲＲＭ測定周期を構成し得る。２２１０の動作は、本明細書で説明される方法に従って行われ得る。いくつかの例では、２２１０の動作の態様は、図１２〜図１５を参照しながら説明されたように、ＲＲＭ構成要素によって行われ得る。
【０２０４】
[0212]  ２２１５において、基地局１０５は、ＵＥ１１５にＲＲＭ測定周期を示す構成を送信し得る。２０１５の動作は、本明細書で説明される方法に従って行われ得る。いくつかの例では、２２１５の動作の態様は、図１２〜図１５を参照しながら説明されたように、送信機によって行われ得る。場合によっては、構成は、ＲＲＭ構成要素から送信機において受信され得る。場合によっては、ＵＥ１１５に構成を送信することは、構成が送信される時間および周波数リソースを識別することと、基地局ページ監視構成要素からの送信のためのビットを取得することと、送信より前にそれらを符号化することとを含み得る。場合によっては、符号化することは、基地局１０５によって決定された変調およびコーディング方式に基づいて行われ得る。
【０２０５】
[0213]  本明細書で説明される方法が、可能な実施形態を表すこと、並びに動作およびステップが並べ替えられるかあるいは別の様態で変更され得ること、並びに他の実施形態が可能であることに留意されたい。さらに、方法のうちの２つ以上からの態様が組み合わされ得る。
【０２０６】
[0214]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などのような無線技術を実施し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実施し得る。
【０２０７】
[0215]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実施し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、上で言及されたシステムと無線技術と並びに他のシステムと無線技術とに使用され得る。ＬＴＥまたはＮＲシステムの諸態様が、例として説明される場合があり、ＬＴＥまたはＮＲ技術が、説明の多くで使用され得るが、本明細書で説明される技術は、ＬＴＥまたはＮＲ応用例を超えて適用可能である。
【０２０８】
[0216]  マクロセルは、一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（例えば、認可、無認可などの）周波数帯域で動作し得る。スモールセルは、様々な例によれば、ピコセル、フェムトセルおよびマイクロセルを含み得る。ピコセルは、例えば、小さい地理的エリアをカバーし得、ネットワークプロバイダのサービスに加入しているＵＥ１１５による無制限アクセスを可能にし得る。フェムトセルは、小さい地理的エリア（例えば、自宅）を同じくカバーし得、フェムトセルとの関連を有するＵＥ１１５（例えば、限定加入者グループ（ＣＳＧ）中のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セルをサポートし得、また、１つまたは複数のコンポーネントキャリアを使用した通信をサポートし得る。
【０２０９】
[0217]  ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有することがあり、異なる基地局１０５からの送信は時間的に整合されないことがある。本明細書で説明される技法は、同期動作または非同期動作のいずれかのために使用され得る。
【０２１０】
[0218]  本明細書で説明される情報および信号は、様々な異なる技術および技法のいずれかを使用して表され得る。例えば、上記の説明全体にわたって参照され得るデータ、命令、コマンド、情報、信号、ビット、シンボル、およびチップは、電圧、電流、電磁波、磁場もしくは磁気粒子、光場または光粒子、あるいはそれらの任意の組合せによって表され得る。
【０２１１】
[0219]  本明細書の開示に関して説明される様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実施または行われ得る。汎用プロセッサは、マイクロプロセッサであり得るが、代替として、プロセッサは、任意の従来のプロセッサ、コントローラ、マイクロコントローラ、または状態機械であり得る。プロセッサは、コンピューティングデバイスの組合せ（例えばＤＳＰとマイクロプロセッサとの組合せ、複数のマイクロプロセッサ、ＤＳＰコアと連携する１つまたは複数のマイクロプロセッサ、あるいは任意の他のそのような構成）としても実施され得る。
【０２１２】
[0220]  本明細書で説明される機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとして、コンピュータ可読媒体上に記憶されるか、あるいはコンピュータ可読媒体を介して送信され得る。他の例および実施形態は、本開示の範囲内および添付の特許請求の範囲内にある。例えば、ソフトウェアの性質により、本明細書で説明される機能は、プロセッサによって実行されるソフトウェア、ハードウェア、ファームウェア、ハードワイヤリング、またはこれらのいずれかの組合せを使用して実施され得る。機能を実施する特徴はまた、機能の部分が、異なる物理的ロケーションにおいて実施されるように分散されることを含めて、様々な位置に物理的に配置され得る。
【０２１３】
[0221]  コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスできる任意の利用可能な媒体であり得る。限定ではなく例として、非一時的コンピュータ可読媒体は、ランダムアクセスメモリ（ＲＡＭ）、読取り専用メモリ（ＲＯＭ）、電気的消去可能プログラム可能読取り専用メモリ（ＥＥＰＲＯＭ（登録商標））、フラッシュメモリ、コンパクトディスク（disk）（ＣＤ）ＲＯＭもしくは他の光学ディスク（disk）ストレージ、磁気ディスク（disk）ストレージもしくは他の磁気ストレージデバイス、あるいは、命令またはデータ構造の形で所望のプログラムコード手段を担持しまたは記憶するのに使用され得、汎用コンピュータもしくは特殊目的コンピュータまたは汎用プロセッサもしくは特殊目的プロセッサによってアクセスされ得る任意の他の非一時的媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２１４】
[0222]  特許請求の範囲内を含めて本明細書で使用される、項目のリスト（例えば、「のうちの少なくとも１つ」または「のうちの１つまたは複数」などの句で終わる項目のリスト）内で使用される「または」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照として解釈されるべきでない。例えば、「条件Ａに基づいて」と記述された例示的なステップは、本開示の範囲から逸脱することなく条件Ａと条件Ｂとの両方に基づき得る。言い換えれば、本明細書で使用される「に基づいて」という句は、「に少なくとも部分的に基づいて」という句と同じように解釈されるべきである。
【０２１５】
[0223]  添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、その説明は、第２の参照ラベルまたは他の次の参照ラベルにかかわらず、同じ第１の参照ラベルを有する同様の構成要素のうちのいずれにも適用可能である。
【０２１６】
[0224]  添付の図面に関して本明細書に記載した説明は、例示的な構成について説明しており、実施され得るまたは特許請求の範囲内に入る全ての例を表すとは限らない。本明細書で使用される「例示的」という用語は、「例、事例、または例示として働くこと」を意味し、「好ましい」または「他の例よりも有利な」を意味しない。詳細な説明は、記載された技法の理解を与えるための具体的な詳細を含む。しかしながら、これらの技法は、これらの特定の詳細なしに実践され得る。いくつかの事例では、記載された例の概念を不明瞭にすることを回避するために、よく知られている構造およびデバイスがブロック図の形態で示される。
【０２１７】
[0225]  本明細書の説明は、当業者が本開示を作成または使用することを可能にするように提供される。本開示への様々な変更は当業者には容易に明らかとなり、本明細書で定義された一般原理は、本開示の範囲から逸脱することなく他の変形形態に適用され得る。従って、本開示は、本明細書に記載された例および設計に限定されず、本明細書で開示された原理および新規の特徴に合致する最も広い範囲を与えられるべきである。
【図１】
2021502776.tif 000003
【図２】
2021502776.tif 000004
【図３】
2021502776.tif 000005
【図４】
2021502776.tif 000006
【図５】
2021502776.tif 000007
【図６】
2021502776.tif 000008
【図７】
2021502776.tif 000009
【図８】
2021502776.tif 000010
【図９】
2021502776.tif 000011
【図１０】
2021502776.tif 000012
【図１１】
2021502776.tif 000013
【図１２】
2021502776.tif 000014
【図１３】
2021502776.tif 000015
【図１４】
2021502776.tif 000016
【図１５】
2021502776.tif 000017
【図１６】
2021502776.tif 000018
【図１７】
2021502776.tif 000019
【図１８】
2021502776.tif 000020
【図１９】
2021502776.tif 000021
【図２０】
2021502776.tif 000022
【図２１】
2021502776.tif 000023
【図２２】
2021502776.tif 000024
【国際調査報告】
2021502776.tif 000025
2021502776.tif 000026
2021502776.tif 000027